(57)【要約】【課題】式（Ｉａ）および（Ｉｂ）の特定のポリエンシクロデキストリンアセタール類およびヘミアセタール類を開示する。【解決手段】  本発明は、以下の状態治療に有用な特定のポリエンシクロデキストリンアセタール類およびヘミアセタール類に関する：ニキビ、皮膚の黒ずみ；ガン、糖尿病、放射線療法、化学療法、；ミトコンドリアおよびＤＮＡ機能不全；シミ；細胞の抗酸化物質の喪失；コラーゲンの喪失、皮膚従順性の喪失、皮膚柔軟性の喪失、シワおよび皮膚の酸化、放射線による損傷、自由ラジカル又は紫外線による損傷を含む老化に伴う皮膚の変化；乾燥皮膚；乾燥症；魚鱗癬；フケ；角化症；黒皮症；ほくろ；肝斑；皮膚の色素沈着；脂性肌；いぼ；湿疹；皮膚掻痒症；乾癬；炎症性皮膚病；局所的炎症；荒れた角質；頭皮の乾燥ならびにそれらの組合せ。【選択図】図１【特許請求の範囲】
【請求項１】
式（Ｉａ）の化合物および式（Ｉｂ）の化合物からなる群から選択される化合物であり、
【化２２】
2014528008.tif 000023
【化２３】
2014528008.tif 000024
式中、
ｎ＝０〜４、
Ｘ＝直接結合、−ＣＨ２−ＣＨ２−Ｏ−、または−ＣＨ２−ＣＨ２−ＣＨ２−Ｏ−、
Ｚ＝Ｈ、−ＣＨ２−ＣＨ２−ＯＨ、−ＣＨ２−ＣＨ２−ＣＨ２−ＯＨ、−ＳＯ３Ｈ、−ＳＯ３Ｍ、−ＰＯ３Ｈ２、−ＰＯ３Ｍ、または−ＰＯ３Ｍ２、
Ｒ＝レチノイドまたはカロチノイド、
Ｍ＝Ｎａ、Ｋ、Ｃａ、Ｍｇ、Ｂａ、Ｚｎ、Ｍｎ、Ｃｕ、Ｆｅ、Ｃｏ、またはＮｉであることを特徴とする化合物。
【請求項２】
請求項１の式（Ｉａ）または式（Ｉｂ）の化合物であって、
ｎは１、２、または３であり、Ｘは直接結合であることを特徴とする化合物。
【請求項３】
請求項１の式（Ｉａ）または式（Ｉｂ）の化合物であって、
Ｒは、
【化２４】
2014528008.tif 000025
からなる群から選択され、
式中、Ｙは結合点であることを特徴とする化合物。
【請求項４】
請求項１の化合物であって、
前記化合物は式（ＩＩ）の化合物であり、
【化２５】
2014528008.tif 000026
式中、ｎ＝３であることを特徴とする化合物。
【請求項５】
請求項１の化合物ならびに、
抗酸化物質と、フリーラジカル中和剤と、抗炎症剤と、コラーゲンおよびフィブリンのブースト剤と、４級アンモニウム化合物とからなる群から選択される１つ以上の更なる成分を含む組成物。
【請求項６】
請求項５の組成物であって、
前記組成物は医薬製剤、栄養補助食品、化粧品、または局所塗布もしくは経口摂取用途のための組成物。
【請求項７】
請求項５の組成物であって、
前記組成物はさらに以下の成分を１つ以上含む組成物：ロニセラ・カプリフォリウム（スイカズラ）花抽出物およびロニセラ・ジャポニカ（スイカズラ）花抽出物。
【請求項８】
請求項１の化合物、水、および以下の成分の１つ以上を含む組成物：乳化ロウ、エンスリゾール、オクチノキサート、プロピレングリコール、グルコノラクトン／安息香酸ナトリウム、トリエタノールアミン、アンモニウムアクリロイルジメチルタウレート／ＶＰ共重合体、および二酸化チタン。
【請求項９】
請求項１の化合物、水、および以下の成分の１つ以上を含む組成物：ヒドロキシプロピルデンプンリン酸塩、キャンデリア、ホホバ、米ぬかポリグリセリル−３エステル類、ステアリン酸グリセリル、セテアリルアルコール、ステアロイル乳酸ナトリウム、ペンタステアリン酸ポリグリセリル−１０、ベヘニルアルコール、ステアロイル乳酸ナトリウム、グリセリン、セチルアルコール、ステアリルアルコール、ネオペンタン酸イソステアリル、ロニセラ・カプリフォリウム（スイカズラ）花抽出物、およびロニセラ・ジャポニカ（スイカズラ）花抽出物。
【請求項１０】
請求項１の化合物、水、カルボポール、ロニセラ・カプリフォリウム（スイカズラ）花抽出物、およびロニセラ・ジャポニカ（スイカズラ）花抽出物を含む組成物。
【請求項１１】
ニキビ、ニキビによる皮膚の美観喪失および皮膚の黒ずみ；ガン、糖尿病、放射線療法、化学療法、および日焼けによる皮膚の黒ずみ；ミトコンドリアおよびＤＮＡ機能不全；年齢によるシミ；細胞の抗酸化物質の喪失；コラーゲンの喪失、皮膚従順性の喪失、皮膚柔軟性の喪失、皮膚のシワおよび皮膚の細い線、酸化、放射線による損傷、自由ラジカルによる損傷、紫外線による損傷、を含む老化に伴う皮膚の変化；乾燥皮膚；乾燥症；魚鱗癬；フケ；褐色がかったシミ；角化症；黒皮症；ほくろ；肝斑；シミ、目の下のくま、黒ずんだ皮膚、および斑点を含む、皮膚の色素沈着；脂性肌；いぼ；湿疹；皮膚掻痒症；乾癬；炎症性皮膚病；局所的炎症；荒れた角質；頭皮の乾燥ならびにその組合せからなる群から選択される状態に伴う症状の治療、予防、発生を減らす、または改善する方法であって、前記方法は請求項１の化合物を患者に投与する工程を含む。
【請求項１２】
請求項１１の方法であって、
前記状態は、ニキビまたはニキビによる皮膚の美観喪失および皮膚の黒ずみであることを特徴とする方法。
【請求項１３】
請求項１１の方法であって、
前記状態が皮膚のシワおよび皮膚の細い線であることを特徴とする方法。
【請求項１４】
（ｉ）ポリエンアルデヒドと有機可溶性化液体とを、透明な混合物が得られるまで混合する工程と、
（ｉｉ）前記透明な混合物に対して適切なシクロデキストリンおよび水を添加し、窒素またはアルゴン雰囲気下で１〜１２０時間混合して反応混合物を形成する工程と、
（ｉｉｉ）前記反応混合物を乾燥して粉末化する工程とを含む、請求項１の化合物を作製するプロセス。
【請求項１５】
請求項１４のプロセスであって、
前記ポリエンアルデヒドがレチナールであることを特徴とするプロセス。
【請求項１６】
請求項１４のプロセスであって、
前記有機可溶性化液体は、トリグリセリド、ポリオール、レチニルプロピオナート、脂肪エステル、またはその組合せからなる群から選択されることを特徴とするプロセス。
【請求項１７】
請求項１４のプロセスであって、
前記シクロデキストリンがγ−シクロデキストリンであることを特徴とするプロセス。
【請求項１８】
請求項１４のプロセスであって、
前記（ｉｉ）の工程において、以下の成分が１つ以上更に添加されることを特徴とする、プロセス：ロニセラ・カプリフォリウム（スイカズラ）花抽出物およびロニセラ・ジャポニカ（スイカズラ）花抽出物。
【発明の詳細な説明】
【技術分野】
【０００１】
外見の向上は、人の一生の中で日常生活に関連したほとんど全ての他の行動よりも大きな焦点を占める。人間の病気の治療のためよりも、人体の美化に使用できる消費者製品の方がはるかに多く存在する。皮膚色および外見の向上は、成長中の数十億ドル規模の産業であり、その範囲は化粧品、栄養補助食品、医薬製剤、および理学療法に関する学問分野におよぶ。消費者の注目は、若返り、シワ予防、皮膚を滑らかにすること、および皮膚を明るくすることに関する最新の奇跡的な成分、ならびに同様のアンチエイジング剤に集中しており、その最新の従来技術の例を以下に記載する。
【０００２】
皮膚の清浄化は、現在マーケティングされかつ消費者の関心を集めている項目である。皮膚を清浄化する製品は、キットまたはセットとなっている２、３の製品から構成される単一治療方式によって複数の機能を果たす。この市場は、１０代から成人、さらには高齢者までの年齢層を有し、急速に発達している。皮膚清浄化に関する米国での市場は、２０億ドルと推定され、そのような製品の消費者は２０００万人を超える。そのような皮膚清浄化剤を使用して治療する利益としては、以下のものが含まれる：（ｉ）ニキビの跡、怪我の傷跡、天然痘等の疾患による模様、皮膚の斑点、および皮膚「欠点」による皮膚の損傷を滑らかにすること、（ｉｉ）ニキビの跡、怪我の傷跡、天然痘等の疾患による模様、皮膚の斑点、および皮膚の「欠点」による皮膚の変色から皮膚色のバランスをよくすること、（ｉｉｉ）年齢によるシミ、皮膚の斑点、不快な「ほくろ」、出産後にできる腹部上の妊娠線の変色、および日光にさらされる事による皮膚の変色を、減少または除去すること、（ｉｖ）顔をより輝かせるために、明るい皮膚色にするために、皮膚の暗い領域を明るくすること、（ｖ）清浄な外観をもたらすために皮膚の油分または皮膚の乾燥を管理すること、（ｖｉ）いきいきとした皮膚のために、死滅した皮膚細胞を入れ替えて新しい成長を促進させること、（ｖｉｉ）滑らかな皮膚のために皺および皮膚の細かな線を減少または除去すること、（ｖｉｉｉ）健康的な皮膚の成長促進および輝く外観のために必須栄養を注入すること。
【背景技術】
【０００３】
シクロデキストリンは、５つ以上のα−（１−４）−結合の無水グルコース単位から構成される環状オリゴ糖類である。酵素を用いてデンプンからの転換によって調製されるα−、β−またはγ−シクロデキストリン（図面Ｉ、ＩＩおよびＩＩＩ）の内腔の直径が異なり、一般的に、以下に例が記載される多数の有機物質の包接または閉じ込めに適している。
【０００４】
シクロデキストリンは、医薬製剤を含む多くの有機化合物と共に包接複合体を形成する（Ｃｈａｌｌａら、ＡＡＰＳ  Ｐｈａｒｍ  Ｓｃｉ  Ｔｅｃｈ，６，  Ｅ  ３２９（２００５））。
【０００５】
ムノズ（Ｍｕｎｏｚ）ら［Ｊｏｕｒｎａｌ  ｏｆ  Ｐｈａｒｍａｃｅｕｔｉｃａｌ＆Ｂｉｏｍｅｄｉｃａｌ  Ａｎａｌｙｓｉｓ，  １４，  ９０９（１９９６）；Ｍｕｎｏｚら，Ａｎａｌｙｔｉｃａ  Ｃｈｉｍｉｃａ  Ａｃｔａ，２２７，  ２９７（１９８９）］は、レチナールβ−シクロデキストリン複合体を含む、特定のレチノイドシクロデキストリン複合体を開示する。
【０００６】
ピサ（Ｐｉｔｈａ）（米特許第４，３７１，６７３号）は、レチノイドポリマーの特定のシクロデキストリン複合体を開示する。
【０００７】
モルデンハウアー（Ｍｏｌｄｅｎｈａｕｅｒ）ら（米特許第５，９８５，２９６号）は、レチノイン酸およびレチニルエステル類からなる群から選択されるレチナール誘導体とγ−シクロデキストリンとの複合体、ならびにγ−シクロデキストリンとレチナールとの複合体、からなる群から選択される複合体から構成される組成物を開示する。前記レチナールおよびレチナール誘導体と、前記γ−シクロデキストリンとは、レチノール：γ−シクロデキストリンの重量比が１：２０〜１：１となるように存在する。
【０００８】
ザヴァズキ（Ｚａｗａｄｚｋｉ）ら［Ｊ  Ｎａｔｌ  Ｃａｎｃｅｒ  Ｉｎｓｔ．６５，１０  １−５（１９８５）］は、水溶性の、ポリマーに結合された形のレチナールを開示する。レチナールは、α−およびβ−シクロデキストリンの存在下で、カルボキシメチルデキストランのヒドラジドに結合された。
【０００９】
ロフソン（Ｌｏｆｔｓｓｏｎ）ら［Ｐｈａｒｍａｚｉｅ（６３）１７１−９（２００８）］は、親水性薬剤／シクロデキストリン複合体溶液として親油性薬剤を処方することによって、結膜／強膜を介した網膜への薬剤送達の向上を図れることを開示する。
【００１０】
上記のシクロデキストリンの包接複合体は、それぞれそれ自体の特徴的な物理的および化学的特性を有するが、通常は２つの化学的に異なる分子（シクロデキストリンがホストであり、他の有機分子がゲストである）から構成され、ホストおよびゲストの分子間の共有結合が形成されていないようであることは注目に値する。
【先行技術文献】
【特許文献】
【００１１】
【特許文献１】米国特許第５，４９４，６６８号明細書
【特許文献２】米国特許第５，８８８，５１４号明細書
【特許文献３】米国特許第５，８５４，２９１号明細書
【特許文献４】米国特許第５，９１６，５６５号明細書
【発明の概要】
【発明が解決しようとする課題】
【００１２】
本発明は、式（Ｉａ）および（Ｉｂ）の特定のポリエンシクロデキストリンアセタール類およびヘミアセタール類を開示する。
【００１３】
【化１】
2014528008.tif 000002
【００１４】
【化２】
2014528008.tif 000003
式中、ｎ＝０、１、２、３、または４であり、好ましくはｎ＝１、２、または３であり、
Ｘは、０（直接結合）、−ＣＨ２−ＣＨ２−Ｏ−、および−ＣＨ２−ＣＨ２−ＣＨ２−Ｏ−からなる群から選択され、Ｘは好ましくは０（直接結合）であり、
Ｚは、Ｈ、−ＣＨ２−ＣＨ２−ＯＨ、−ＣＨ２−ＣＨ２−ＣＨ２−ＯＨ、−ＳＯ３Ｈ、−ＳＯ３Ｍ、−ＰＯ３Ｈ２、−ＰＯ３Ｍ、および−ＰＯ３Ｍ２からなる群から選択され、Ｚは好ましくはＨであり、
Ｒ＝レチノイドまたはカロチノイドであり、
Ｍは、Ｎａ、Ｋ、Ｃａ、Ｍｇ、Ｂａ、Ｚｎ、Ｍｎ、Ｃｕ、Ｆｅ、Ｃｏ、およびＮｉからなる群から選択される。
【００１５】
式（Ｉａ）および（Ｉｂ）の化合物は皮膚の清浄化に効果的であり得、以下に挙げるがこれに限らない状態によって障害を受けた皮膚の治療に有用である：ガン、糖尿病、放射線療法、化学療法、および日焼け；ミトコンドリア機能不全；年齢によるシミ；ニキビ、細胞の抗酸化物質の喪失；コラーゲンの喪失、皮膚従順性の喪失、皮膚柔軟性の喪失、皮膚のシワおよび皮膚の細い線、酸化、放射線による損傷、自由ラジカルによる損傷、紫外線による損傷、を含む老化に伴う皮膚の変化；乾燥皮膚；乾燥症；魚鱗癬；フケ；褐色がかったシミ；角化症；黒皮症；ほくろ；肝斑；シミ、目の下のくま、黒ずんだ皮膚、および斑点を含む、皮膚の色素沈着；脂性肌；いぼ；湿疹；皮膚掻痒症；乾癬；炎症性皮膚病；局所的炎症；荒れた角質；頭皮の乾燥；皮膚色素脱失、ならびにそれらの組合せ。
【００１６】
本願明細書において用いられる以下の用語は下記の意味を有する。
【００１７】
障害を受けた皮膚：内臓疾患およびその治療によって生じる皮膚の病気。例としては、糖尿病、ガン、放射線療法、化学療法および日焼け（太陽放射）による障害を受けた皮膚の状態が挙げられる。
【００１８】
「キラリティー的に正しい」：異なる４つの置換基を有する正四面体炭素原子を有する分子、複合体、またはイオン対はキラリティーがあると称され、前記炭素原子はキラリティーがあると称される。これらの化合物は、グリセルアルデヒドとどのような関係にあるかによって、大文字「Ｄ」または大文字「Ｌ」によって示される。自然界で生成される物質のほとんどは、グリセルアルデヒドの「Ｌ」鏡像異性体に従う。いずれの場合も、「キラリティー的に正しい」鏡像異性体（ｅｎａｔｉｏｍｎｅｒ）は、自然界で生成される「Ｄ」または「Ｌ」のものである。
【００１９】
ｄまたはｌ、（＋）または（−）：これらは、分子の旋光度の方向を示す。
【００２０】
ジアステレオ異性体：ジアステレオ異性体は、鏡像異性体でない立体異性体である。
【００２１】
鏡像異性体：鏡像異性体は、互いに、重ねることが出来ない鏡像である２つの立体異性体のうちの１つである。
【００２２】
イオン対：電子供与体の化学物質と電子受容体の化学物質との間のイオン結合、または正荷電を帯びた化学物質と負荷電を帯びた化学物質との間のイオン結合によって生じた化合物である。
【００２３】
レクタス（Ｒｅｃｔｕｓ）（Ｒ型）、シニスタ（Ｓｉｎｉｓｔｅｒ）（Ｓ型）はそれぞれカーン・インゴルド・プレローグ順位則に基づいて、キラル分子または原子の右手型または左手型に関する。デキストロ（ｄまたは＋）およびレボ（ｌまたは−）は、これらのキラル分子が平面偏光に与える旋光度の方向を示す。
【００２４】
有機的：炭素化合物である、炭素化合物を含む、または炭素化合物に関連している物質。特に、水素が炭素に結合している、生命体または非生命体に由来する物質。
【００２５】
皮膚清浄化：ガン、糖尿病、放射線療法、化学療法、および日焼けから障害を受けた皮膚；ミトコンドリア機能不全；年齢によるシミ；ニキビ、細胞の抗酸化物質の喪失；コラーゲンの喪失、皮膚従順性の喪失、皮膚柔軟性の喪失、皮膚のシワおよび皮膚の細い線、酸化、放射線による損傷、自由ラジカルによる損傷、紫外線による損傷、を含む老化に伴う皮膚の変化；乾燥皮膚；乾燥症；魚鱗癬；フケ；褐色がかったシミ；角化症；黒皮症；ほくろ；肝斑；シミ、目の下のくま、黒ずんだ皮膚、および斑点を含む、皮膚の色素沈着；脂性肌；いぼ；湿疹；皮膚掻痒症；乾癬；炎症性皮膚病；局所的炎症；荒れた角質；頭皮の乾燥；皮膚色素脱失、ならびにそれらの組合せを含む、特定の皮膚科学的な障害に対して治療を提供する薬剤である。
【００２６】
本発明は、皮膚清浄化を必要とする皮膚の生態に関連する課題への解決策を求める要求にこたえるものである。
【図面の簡単な説明】
【００２７】
【図１】γ−シクロデキストリン。
【図２】α−シクロデキストリン。
【図３】β−シクロデキストリン。
【発明を実施するための形態】
【００２８】
本発明は、式（Ｉａ）および（Ｉｂ）の特定のレチナールシクロデキストリンアセタール類およびヘミアセタール類を開示する。これらは、レチナール等のポリエンアルデヒドとγ−シクロデキストリン等のシクロデキストリンとの反応によって調製される。前記反応分子間で形成される共有結合の化学結合構造の結果、対応するアセタールまたはヘミアセタール化合物が形成される。さらに、ヘミアセタールの位置にある炭素原子は立体化学的に（Ｒ）型または（Ｓ）型であり得る。そのため、式（ＩＩＩ）〜（Ｖ）にて例示したように、これらの化合物は（Ｒ）型または（Ｓ）型として生成され、その全ては本発明の生物学的皮膚治療の目的のために有用である：
【００２９】
【化３】
2014528008.tif 000004
【００３０】
【化４】
2014528008.tif 000005
【００３１】
【化５】
2014528008.tif 000006
式中、ｎ＝０、１、２、３または４であり、好ましくはｎ＝１、２、または３である。
【００３２】
ポリエンアルデヒド部分に由来する本発明の化合物の側鎖は、シクロデキストリン部分のポリヒドロキシル内腔の内側（環内、式ＶＩＩ）または外側（環外、式ＶＩＩＩ）に配置可能である。これは、多くの立体化学的な配置および配座構造を可能とする。
【００３３】
【化６】
2014528008.tif 000007
（ＶＩＩ）、
【００３４】
【化７】
2014528008.tif 000008
（ＶＩＩＩ）、
式中、ｎ＝０、１、２、３または４であり、好ましくはｎ＝１、２、または３である。
【００３５】
本発明の化合物は、式（ＩａおよびＩｂ）の化合物のために例示されるプロセスにて調製可能であり、ここでシクロデキストリン（ＩＸ）は、ポリエナル（Ｘ）、またはその改変体と反応される：
【００３６】
【化８】
2014528008.tif 000009
式中、ｎ＝０、１、２、３または４であり、好ましくはｎ＝１、２、または３である。
【００３７】
上述のプロセスは、（ｉ）まずレチナール等のポリエンアルデヒドと有機可溶性化液体とを、透明な混合物が得られるまで混合する工程と、（ｉｉ）前記混合物に対して適切なシクロデキストリンおよび水を添加し、窒素またはアルゴン雰囲気下で１〜１２０時間混合する工程と、（ｉｉｉ）前記反応混合物を乾燥して粉末化する工程とを含み、（ｉｖ）乾燥の好適な方法はパルス燃焼方式噴霧乾燥（Ｐｕｌｓｅ  Ｃｏｍｂｕｓｔｉｏｎ  Ｓｐｒａｙ  Ｄｒｙｉｎｇ）であり、これは乾燥される産物が高温にさらされることを最少化するように設計された、特殊な噴霧乾燥技術である。前記有機可溶性化液体は、トリグリセリド、ポリオール、脂肪エステル、またはそれらの組合せから構成される群から選択される。
【００３８】
本発明のプロセスにおいて、ヒドロキシエチル−およびヒドロキシプロピル−シクロデキストリン類、硫酸化シクロデキストリン、リン酸化シクロデキストリン、ならびに全ての形態のポリエンアルデヒドを含む、シクロデキストリン類およびその誘導体が有用である。
【００３９】
本発明のプロセスにおいて、レチナール以外のアルデヒドも有用である。さらに、レチナールの異性体、類似体、および誘導体も有用である。レチニルプロピオナート（ビタミンＡプロピオナート）、他のレチニルエステル類、および例えばＥｂｒｅｙら（Ｂｉｏｃｈｅｍｉｓｔｒｙ，１９７５，  １４（１８），ｐｐ３９３３−３９４１）によって開示される誘導体等の他の誘導体を含む、レチノイドアルデヒドおよびレチナールのレチノイド誘導体も有用である。
【００４０】
本発明のプロセスにおいて、有機可溶性化液体として使用可能なものとしては、Ｃ−１０〜Ｃ−２０脂肪酸のトリグリセリド、アルキル、もしくはアリールエステル、Ｃ−１０〜Ｃ−２０脂肪アルコールのアルキルもしくはアリールエステル、またはポリオールおよびそれらの組合せが挙げられる。
【００４１】
本発明のプロセスにおいて、有機可溶性化液体として使用可能なものとしては、エチレングリコール、プロピレングリコール、グリセリン、ブチレングリコール、ペンチレングリコール、ヘキシレングリコール、メチルプロパンジオール、ポリエチレングリコール、グリコールエーテル類（例えばエトキシジグリコール）等の、アルキルグリコールが挙げられる。
【００４２】
本発明のプロセスにおいて、パルス燃焼方式噴霧乾燥が用いられる。流動床乾燥（ｆｌｕｉｄｉｚｅｄ  ｂｅｄ  ｄｒｙｉｎｇ）、ドラム乾燥、太陽光乾燥、産業噴霧乾燥（ｉｎｄｕｓｔｒｉａｌ  ｓｐｒａｙ  ｄｒｙｉｎｇ）、凍結乾燥、マイクロ波乾燥、誘電乾燥、衝撃乾燥（ｉｍｐｉｎｇｅｍｅｎｔ  ｄｒｙｉｎｇ）、気送乾燥、気流乾燥（ｆｌａｓｈ  ｄｒｙｉｎｇ）、コンベヤ乾燥（ｃｏｎｖｅｙｏｒ  ｄｒｙｉｎｇ）等の、他の乾燥方法もそれらの用途のために最適化可能である。前記化合物は、それが溶液中にあるときは、前記乾燥プロセスのいずれも行わずに美顔用製品に添加可能であることは想定され得る。
【００４３】
本発明のプロセスにおいて、レチノイドまたはカロチノイドアルデヒド等のポリエンアルデヒドが用いられ、その例としては式（ＸＩ）〜（ＸＶ）のものが挙げられる：
【００４４】
【化９】
2014528008.tif 000010
【００４５】
【化１０】
2014528008.tif 000011
【００４６】
【化１１】
2014528008.tif 000012
【００４７】
【化１２】
2014528008.tif 000013
および
【００４８】
【化１３】
2014528008.tif 000014
【００４９】
式（ＸＶＩ）〜（ＸＸ）に記載のように、これは、対応するレチナールまたはカロテナールシクロデキストリンヘミアセタールまたはアセタールの、レチノイドまたはカロチノイド側鎖をもたらす。
【００５０】
【化１４】
2014528008.tif 000015
【００５１】
【化１５】
2014528008.tif 000016
【００５２】
【化１６】
2014528008.tif 000017
【００５３】
【化１７】
2014528008.tif 000018
および
【００５４】
【化１８】
2014528008.tif 000019
式中、Ｙは、式（Ｉａ）（Ｉｂ）のヘミアセタールまたはアセタール炭素への結合点である。
【００５５】
本発明は、以下に述べるがこれに限らない状態に関連した疾患を伴う症状の治療、予防、発生を減らす、または改善する方法を提供する：ニキビ皮膚の外観、ニキビによる皮膚の美観喪失および皮膚の黒ずみ；ガン、糖尿病、放射線療法、化学療法および日焼けからの障害を受けた皮膚；ミトコンドリア機能不全；年齢によるシミ；細胞の抗酸化物質の喪失；コラーゲンの喪失、皮膚従順性の喪失、皮膚柔軟性の喪失、皮膚のシワおよび皮膚の細い線、酸化、放射線による損傷、自由ラジカルによる損傷、紫外線による損傷、を含む老化に伴う皮膚の変化；乾燥皮膚；乾燥症；魚鱗癬；フケ；褐色がかったシミ；角化症；黒皮症；ほくろ；肝斑；シミ、目の下のくま、黒ずんだ皮膚、および斑点を含む、皮膚の色素沈着；脂性肌；いぼ；湿疹；皮膚掻痒症；乾癬；炎症性皮膚病；局所的炎症；荒れた角質；頭皮の乾燥、ならびにそれらの組合せ。前記方法は、本発明の化合物を含む組成物を有効量投与する工程を含む。
【００５６】
いくつかの実施形態において、本発明の前記化合物は、メタノール等の低分子直鎖アルカノールと反応したときに脱アセタール化するという固有の特性を有する。この反応は、イソプロパノール等の分岐鎖アルカノール、またはクロロホルム等の非極性物質との間では進行しない。前記脱アセタール化は、局所へ塗布された場合も起きる。皮膚の酸性ｐＨおよび局所的水分の存在が、この反応の原因となるようである。これは、以下で例示される：
【００５７】
【化１９】
2014528008.tif 000020
式中、
ｎ＝０、１、２、３、および４、好ましくは、ｎは、１、２または３であり、
Ｘ＝Ｈであり、
Ｚは、以下の物質からなる群から選択され：Ｈ、−ＣＨ２−ＣＨ２−ＯＨ、−ＣＨ２−ＣＨ２−ＣＨ２−ＯＨ、−ＳＯ３Ｈ、−ＳＯ３Ｍ、−ＰＯ３Ｈ２、−ＰＯ３Ｍ、および−ＰＯ３Ｍ２、好ましくは、ＺはＨであり、
Ｍ＝Ｎａ、Ｋ、Ｃａ、Ｍｇ、Ｂａ、Ｚｎ、Ｍｎ、Ｃｕ、Ｆｅ、ＣｏおよびＮｉである。
【００５８】
本発明の前記化合物は、以下に挙げるがこれに限らない特定の皮膚科学的な障害に伴う症状の治療、予防、発生を減らす、または改善するのに有用であってもよい：ガン、糖尿病、放射線療法、化学療法、および日焼けから障害を受けた皮膚；ミトコンドリア機能不全；年齢によるシミ；ニキビ、およびニキビに関連した皮膚の美観喪失および皮膚の黒ずみ；細胞の抗酸化物質の喪失；コラーゲンの喪失、皮膚従順性の喪失、皮膚柔軟性の喪失、皮膚のシワおよび皮膚の細い線、酸化、放射線による損傷、自由ラジカルによる損傷、紫外線による損傷、を含む老化に伴う皮膚の変化；乾燥皮膚；乾燥症；魚鱗癬；フケ；褐色がかったシミ；角化症；黒皮症；ほくろ；肝斑；シミ、目の下のくま、黒ずんだ皮膚、および斑点を含む、皮膚の色素沈着；脂性肌；いぼ；湿疹；皮膚掻痒症；乾癬；炎症性皮膚病；局所的炎症；荒れた角質；頭皮乾燥、ならびにそれらの組み合わせ。
【００５９】
本発明の前記化合物が、好適な担体のベース（ｃａｒｒｉｅｒ  ｂａｓｅ）または局所送達システムおよび他のあらゆる望ましい薬剤に取り込まれるのが好ましい。いくつかの実施形態において、本発明は、式（Ｉａ）の化合物および／もしくは（Ｉｂ）の化合物、またはその混合物と、以下に記載されるがこれに限定されない１つ以上の付加的な成分とを含む組成物を提供する：抗酸化物質、フリーラジカル中和剤（ｆｒｅｅ  ｒａｄｉｃａｌｓ，  ｎｅｕｔｒａｌｉｚｉｎｇ  ａｇｅｎｔｓ）、抗炎症剤、コラーゲンおよびフィブリンのブースト剤（ｂｏｏｓｔｉｎｇ  ａｇｅｎｔｓ）、ならびに４級アンモニウム化合物。前記組成物は、１つ以上の薬学的に許容される賦形剤を含んでいてもよい。いくつかの実施形態において、前記組成物は、式（Ｉａ）の前記化合物および／または（Ｉｂ）の前記化合物を、約０．０５重量％〜４０重量％の量、好ましくは約０．０５重量％〜約２５重量％の量、より好ましくは約０．１重量％〜約１５重量％の量で含む。
【００６０】
皮膚の老化プロセスの減速および皮膚のシワ減少に対する、抗酸化物質およびフリーラジカル中和剤の役割は従来技術において周知である。新しい皮膚細胞が作成される、皮膚のより深部の再生層において皮膚を保護するために、前記抗酸化物質およびフリーラジカル中和剤を本発明の前記組成物に含めてもよい。このため、細胞内の抗酸化物質またはフリーラジカル中和剤も有益でありえる。本発明の薬剤との組み合わせで有用な、複数の機能を有する抗酸化物質としては、アビシン（Ａｂｙｓｓｉｎｅ）、アサイー、アセチル−Ｌ−シスチン、アセチル−Ｌ−カルニチン、Ｌ−アデニン、アデノシン、アルダバイン（Ａｌｄａｖｉｎｅ）、アルデニン（Ａｌｄｅｎｉｎｅ）、アルファルファ、アラントイン（Ａｌｌａｎｔｏｉｎ）、アルブチン、アンビエティ（Ａｍｂｉａｔｙ）、アメリオックス（Ａｍｅｌｉｏｘ）、アークティククランベリー（Ａｒｃｔｉｃ  Ｃｒａｎｂｅｒｒｙ）、アルガニル（Ａｒｇａｎｙｌ）、アルテミシア（Ａｒｔｅｍｉｓｉａ）、Ｌ−アスコルビン酸、アスコルビルパルミテート（Ａｓｃｏｒｂｙｌ  Ｐａｌｍｉｔａｔｅ）、アジア酸（Ａｓｉａｔｉｃ  Ａｃｉｄ）、アスタキサンチン（Ａｓｔａｘａｎｔｈｉｎ）、βカロチン、ベツリン酸（Ｂｅｔｕｌｉｎｉｃ  Ａｃｉｄ）抽出物、コケモモ、ブルーベリー抽出物、カムカム（Ｃａｍｕ  Ｃａｍｕ）、カナダヤナギソウ（Ｃａｎａｄｉａｎ  Ｗｉｌｌｏｗｈｅｒｂ）、カタラーゼ、キャッツクロー（Ｃａｔ’ｓ  Ｃｌａｗ）、チェリモヤ（Ｃｈｅｒｉｍｏｙａ）、クラウドベリー（Ｃｌｏｕｄｂｅｒｒｙ）、クランベリー、エンブリカ（Ｅｍｂｌｉｃａ）、没食子酸、大虎杖（Ｇｉａｎｔ  Ｋｎｏｔｗｅｅｄ）、ゴジベリー（Ｇｏｊｉ  Ｂｅｒｒｙ）、緑茶抽出物、グアバ抽出物、ヒース抽出物、カカドゥープラム（Ｋａｋａｄｕ  Ｐｌｕｍ）、キーウィ抽出物、クズ・ジンビオゾム・ファーメンタム（Ｋｕｄｚｕ  Ｚｙｍｂｉｏｚｏｍｅ  Ｆｅｒｍｅｎｔｕｍ）、リチダーム（Ｌｉｔｃｈｉｄｅｒｍ）、リコピン、リン酸アスコルビルマグネシウム、モクレン（Ｍａｇｎｏｌｉａ）抽出物、マンゴスチン、ウスベニタチアオイ（Ｍａｒｓｈｍａｌｌｏｗ）抽出物、メリタン（Ｍｅｌｉｔａｎｅ）、ミルクシスル（Ｍｉｌｋ  Ｔｈｉｓｔｌｅ）、ミトプロテクト（ナノハート）（ＭｉｔｏＰｒｏｔｅｃｔ（Ｎａｎｏｈｅａｒｔ））、ナチュロン（Ｎａｔｒｕｌｏｎ）、ネクタピュール（Ｎｅｃｔａｐｕｒｅ）、ノニ（Ｎｏｎｉ）抽出物、ペウムスバルダス（Ｐｅｕｍｕｓ  Ｂｏｌｄｕｓ）葉抽出物、フィコシアニン、フィチン酸、プランタゴ（Ｐｌａｎｔａｇｏ）、プエラリアミリフィカ（Ｐｕｅｒａｒｉａ  Ｍｉｒｉｆｉｃａ）、パンプキン抽出物、ケルセチン（Ｑｕｅｒｃｅｔｉｎ）、アカツメクサ、赤ワイン抽出物、レスベラトロール、レチニルパルミテート、ロディオラ（Ｒｈｏｄｉｏｌａ）、ルイボスティー、スーパーオキシドディスムターゼ、テトラヒドロクルクミノイド（Ｔｅｔｒａｈｙｄｒｏｃｕｒｃｕｍｉｎｏｉｄｓ）、チオレドキシン（Ｔｈｉｏｒｅｄｏｘｉｎ）、チオクト酸（Ｔｈｉｏｃｔｉｃ  Ａｃｉｄ）、チオタイン（Ｔｈｉｏｔａｉｎｅ）、タイム抽出物、トコフェロール、トコフェロール、ウコン抽出物、ユビキノン、ヴェ��ュセアンヌ（Ｖｅｎｕｃｅａｎｅ）、白牡丹（Ｗｈｉｔｅ  Ｐｅｏｎｙ）抽出物、白茶（Ｗｈｉｔｅ  Ｔｅａ）抽出物、およびそれらの組合せが挙げられる。
【００６１】
環境、個人衛生、体美化、および食事／個人習慣状況によって生じる皮膚刺激を減らすために、抗炎症剤を本発明の組成物に含めることができる。皮膚刺激はコラーゲンの分解を引き起こすことは公知であり、それは皮膚のシワにつながる。皮膚刺激を引き起こし得る環境条件の例として、乾燥空気、紫外線、日光、フリーラジカル、空気汚染物質等が挙げられる。皮膚刺激を引き起こし得る個人衛生状況の例としては、石鹸、洗浄剤、ひげ剃り、脱毛薬剤等の使用が挙げられる。皮膚刺激を引き起こし得る体美化の例としては、芳香剤、化粧品、その他の体を化粧するための薬剤が挙げられる。皮膚刺激を引き起こし得る食事／個人習慣状況の例としては、プロスタグランジン合成を増強しうる脂肪が豊富な食品の消費、ならびにタバコおよびアルコールの過剰な摂取が挙げられ、これらは全て皮膚刺激を引き起こすことが公知である。
【００６２】
ほとんどの抗炎症剤は、シクロオキシゲナーゼ−１（ＣＯＸ−１）、シクロオキシゲナーゼ−２（ＣＯＸ−２）、およびリポキシゲナーゼ−５（ＬＯＸ−５）の酵素阻害経由でプロスタグランジン産生を減少させることによって機能する。炎症の領域から乳酸を除去するための血管拡張成分またはマッサージの使用は、周知の治療である。活性酸素種（スーパーオキシドアニオン等）によって炎症が開始されることが認識されている。最近では、Ｐ物質が炎症性の反応に由来する痛みの神経伝達の役割を果たすことが認識されている。新規な抗炎症性治療の開発において炎症性サイトカイン類の阻害について活発に研究されている。さらに、活性化マクロファージによる過剰な一酸化窒素（ＮＯ）生産は、関節炎を含むいくつかの炎症性疾患に関与していることが最近示唆されている。これらの局面は、米国特許第５，４９４，６６８号、第５，８８８，５１４号、第５，８５４，２９１号、および第５，９１６，５６５号に更に詳細に記載されている。
【００６３】
コラーゲンおよびフィブリンのブースト剤も本発明の組成物に含めることができる。自然な老化プロセスにおいて、コラーゲンおよびフィブリンの生産が減速することは周知である。これは、皮膚薄膜化、皮膚弾力の喪失、およびシワの形成を引き起こす。どのような総合的アンチエイジング治療においてもコラーゲンまたはフィブリンのブースト剤を含めることは、皮膚再生という点で生物学的に重要である。
【００６４】
送達システムが化粧品および製薬の学問分野で非常に有用であることは、科学者の間でよく認識されている。本発明の発明者のうちの１人によって執筆された最近の記事（「コスメティック・デリバリーシステムズ、ホウスホールド＆パーソナルプロダクツインダストリー（Ｃｏｓｍｅｔｉｃ  Ｄｅｌｉｖｅｒｙ  Ｓｙｓｔｅｍｓ，  Ｈｏｕｓｅｈｏｌｄ  ＆  Ｐｅｒｓｏｎａｌ  Ｐｒｏｄｕｃｔｓ  Ｉｎｄｕｓｔｒｙ）（一般に雑誌「ＨＡＰＰＩ」として公知）の２００３年１月号、７９ページ）において、多くの従来技術の送達システムの定義および利点が述べられた。このように送達システムは、消費者製品または組成物の性能および消費者へのアピールを向上可能な芸術と科学との組合せである。
【００６５】
本発明はまた、健康な皮膚生態のためのキラリティー的に正しいミトコンドリア保護（ｍｉｔｏｐｒｏｔｅｃｔａｎｔ）アミノ酸／エステルとペプチド複合体との科学的な組合せ、ならびに皮膚疾患を伴う課題の総合的な解決策を提供するための高性能送達システムを含む、局所送達システムを開示する。
【００６６】
４級アンモニウム化合物は、コンディショニング、光沢、皮膚を滑らかにする、その他を含むさまざまな利益を得るために、現代のスキンケア剤に一般的に使用されてきた。本質的に陽イオンであるこれらのアンモニウム化合物も、イオン対として陰イオン性の対イオンを含む。例えば、クローダソルブ（Ｃｒｏｄａｓｏｒｂ）  ＵＶ−ＨＰＰ（ポリクオタニウム−５９（Ｐｏｌｙｑｕａｔｅｒｎｉｕｍ−５９））は、クロライドおよびメトサルフェートが陰イオン性の対イオンとして結合している高分子４級アンモニウム組成物である。当業者ならば、そのような４級アンモニウム物質の陽イオン部分だけが、紫外線による損傷の防止、抗張力の保護、疎水性、および皮膚の自然の色の保護といったスキンケアの利益を提供することをよく知っている。他の例としては、紫外線吸収性の４級アンモニウム化合物である、インクロクアット（Ｉｎｃｒｏｑｕａｔ）  ＵＶ−２８３（シンナミドプロピルトリモニウムクロリド（Ｃｉｎｎａｍｉｄｏｐｒｏｐｙｌｔｒｉｍｏｎｉｕｍ  ｃｈｌｏｒｉｄｅ））は、紫外線およびフリーラジカルによる損傷からの保護を提供する。この例では、この組成物の陽イオン性のシンナミドプロピルトリモニウム部分がそのような利益を提供し、陰イオン（クロリド）部分は皮膚に有益な効果を全く提供しない。
【００６７】
アンチエイジング剤における細胞内抗酸化物質の重要性は、近年注目を集めている。植物性の抗酸化物質を美顔用製品に含めることは、アンチエイジングおよび皮膚色向上の他の利益のために人気を集めつつあり、それは栄養剤としてのそれらの用途と一致している。よく知られている抗酸化物質（ビタミンＥ、コエンザイムＱ１０、アスコルビン酸、リポ酸および大豆イソフラボン等）が処方される、様々な効果を約束する美顔用製品が市場に登場している。局所抗酸化物質製品の設計は以下の点で挑戦である。広いスペクトルの抗酸化物質製品は、酸素、フリーラジカル、紫外線、大気の汚染物質、酸化酵素、酸化的代謝、および化学的酸化を含む生化学機構から生じる細胞内酸化を制御しなければならない。複雑であり、しばしば相互関係のある生化学酸化機構を制御するための機能的細胞内抗酸化物質およびフリーラジカル中和剤を選択し、皮膚を経由した吸収による生物学的利用能を保証する局所送達システムを設計することは、最高に重要である。
【００６８】
抗酸化物質カスケード機構のため、抗酸化物質の組合せは、等重量基準において単一の抗酸化物質より効果的であり得る。抗酸化物質が、ポリフェノール、カロチノイド、フラボノイド等のさまざまな化学分類に属することは周知である。幾つかの例を以下に述べる。（化学分類は括弧内に示される）ルチン（フラボン）、ケルセチン（フラボン）、ヘスペリジン（フラボン）、ジオスミン（フラボン）、マンギフェリン（キサントン）、マンゴスチン（キサントン）、シアニジン（カロチノイド）、アスタキサンチン（カロチノイド）、キサントフィル（カロチノイド）、リコピン（カロチノイド）、カロチン（カロチノイド）、レスベラトロール（ポリフェノール）テトラヒドロ・クルクミン（ポリフェノール）、ロスマリン酸（ポリフェノール）、エラグ酸（ポリフェノール）、ヒペリシン（ポリフェノール）、クロロゲン酸（ポリフェノール）、オレウロペイン（ポリフェノール）、リポ酸（ジスルフィド）、酸化グルタチオン（ジスルフィド）、シスチン（ジスルフィド）、Ｎ−アセチルシスチン（ジスルフィド）、還元グルタチオン（スルフヒドリル）、シスチン（スルフヒドリル）、およびＮ−アセチルシスチン（スルフヒドリル）。
【００６９】
いくつかの実施形態では、本発明の組成物は、さまざまな生化学機構から生じている細胞内酸化を制御するための、異なる化学分類の抗酸化成分の組合せを含む。これらの抗酸化物質も抗炎症性や抗菌性の特性を備えていてもよい。抗酸化物質の総量を慎重に調整しなければならない。その理由は、過剰な抗酸化物質の量は逆の酸化促進的な効果をもたらし、その結果、製品の安定性および性能が低くなってしまう可能性があるためである。抗酸化相乗剤の使用は、付加的な効果を提供する。そのような相乗剤の鍵となる機能は、抗酸化物質フリーラジカルを元のラジカル無しの状態に再変換し、自滅によって中和された無害な分子にするものである。ヒドロキシ酸（クエン酸、アスコルビン酸、酒石酸等）はこの目的のために頻用される。コエンザイムＱ１０、ビタミンＣ、およびケルセチンも相乗剤として報告されている。
【００７０】
いくつかの実施形態では、本発明の組成物は、粘性を例えば水の粘性と同程度まで減少する薬剤を含む。そのような粘性減少薬剤の例としてｐＨ調整剤が挙げられる。ｐＨは、低下させてもよいが、好ましくは上昇させるのがよい。
【００７１】
細胞機能を補助するものとしても知られる、多種類のコラーゲンおよびフィブリンのブースト成分が現在市販されている。そのような成分も本発明の組成物に含むことができる。その非限定的な例としては、ウィザニア・ソムニフェラ（Ｗｉｔｈａｎｉａ  Ｓｏｍｎｉｆｅｒａ）根抽出物、アスコフィルム・ノドサム（Ａｓｃｏｐｈｙｌｌｕｍ  Ｎｏｄｏｓｕｍ）抽出物、アスパラゴプシス・アルマタ（Ａｓｐａｒａｇｏｐｓｉｓ  Ａｒｍａｔａ）抽出物、ヴェロニカ・アッペンディキュラタ（Ｖｅｒｏｎｉｃａ  Ａｐｐｅｎｄｉｃｕｌａｔａ）葉抽出物、ベチュラ・アルバ（Ｂｅｔｕｌａ  Ａｌｂａ）（カバノキ）樹皮／葉抽出物、シリル・マイアナム（Ｓｉｌｙｂｕｍ  Ｍａｒｉａｎｕｍ）果実抽出物、アミノグアニジンＨＣＬ、マラス・ドメスティカ（Ｍａｌｕｓ  Ｄｏｍｅｓｔｉｃａ）果実培養細胞、アルガニア・スピノサ（Ａｒｇａｎｉａ  Ｓｐｉｎｏｓａ）葉抽出物、アセチルヘキサペプチド−８、バクシニウム・ミルティラス（Ｖａｃｃｉｎｉｕｍ  Ｍｙｒｔｉｌｌｕｓ（Ｂｉｌｂｅｒｒｙ））抽出物、ルブス・フルクティコサス（Ｒｕｂｕｓ  Ｆｒｕｃｔｉｃｏｓｕｓ）（ブラックベリー）果実抽出物、ボラゴ・オフィシナリス（Ｂｏｒａｇｏ  Ｏｆｆｉｃｉｎａｌｉｓ）種子油、ブジレヤ・ダヴィディ（Ｂｕｄｄｌｅｊａ  Ｄａｖｉｄｉｉ）分裂組織培養細胞、アスコルビン酸テトラヘキシルデシル、カルノシン（Ｌ）、カタラーゼ、センテレ・アジアティカ（Ｃｅｎｔｅｌｌａ  Ａｓｉａｔｉｃａ）分裂組織培養細胞、カプローイル・テトラペプチド−３（Ｃａｐｒｏｏｙｌ  Ｔｅｔｒａｐｅｐｔｉｄｅ−３）、混合ムコ多糖（Ｍｉｘｅｄ  Ｍｕｃｏｐｏｌｙｓａｃｃｈａｒｄｉｅｓ）、グリコーゲン、トリペプチド−２、レオトポジューム・アルピナム（Ｌｅｏｎｔｏｐｏｄｉｕｍ  Ａｌｐｉｎｕｍ）分裂組織培養細胞、フィランサス・エンブリカ（Ｐｈｙｌｌａｎｔｈｕｓ  Ｅｍｂｌｉｃａ）果実抽出物、アクメラ・オレラシア（Ａｃｍｅｌｌａ  Ｏｌｅｒａｃｅａ）抽出物、ビテックス・アグナスカクタス（Ｖｉｔｅｘ  Ａｇｎｕｓ  Ｃａｓｔｕｓ）抽出物、テトライソパルミチン酸アスコルビル（Ａｓｃｏｒｂｙｌ  Ｔｅｔｒａｉｓｏｐａｌｍｉｔａｔｅ）、パルミトイルヘキサペプチド−６（Ｐａｌｍｉｔｏｙｌ  Ｈｅｘａｐｅｐｔｉｄｅ−６）、リシウム・バルバラム（Ｌｙｃｉｕｍ  Ｂａｒｂａｒｕｍ）抽出物（ゴジベリー（Ｇｏｊｉ  Ｂｅｒｒｙ））、マクロキスチス・ピリフェラ（Ｍａｃｒｏｃｙｓｔｉｓ  Ｐｙｒｉｆｅｒａ）抽出物、サッカロミセス／キシリナム紅茶発酵物（Ｓａｃｃｈａｒｏｍｙｃｅｓ／Ｘｙｌｉｎｕｍ  Ｂｌａｃｋ  Ｔｅａ  Ｆｅｒｍｅｎｔ）、ペンタペプチド−３（Ｐｅｎｔａｐｅｐｔｉｄｅ−３）、大豆イソフラボン、チオブロマ・カカオ（Ｔｈｅｏｂｒｏｍａ  Ｃａｃａｏ）（カカオ）種子抽出物、カメリア・シネンシス（Ｃａｍｅｌｌｉａ  Ｓｉｎｅｎｓｉｓ）葉抽出物、ガルシニア・マンゴスタナ（Ｇａｒｃｉｎｉａ  Ｍａｎｇｏｓｔａｎａ）ピール果皮抽出物、リッチ・チネンシス（Ｌｉｔｃｈｉ  Ｃｈｉｎｅｓｉｓ）果皮抽出物、マチラス（Ｍａｃｈｉｌｕｓ）属樹皮抽出物、マロタス（Ｍａｌｌｏｔｕｓ）属樹皮抽出物、グリコサミノグリカン、シトラス・オウランチム・��クリス（Ｃｉｔｒｕｓ  Ａｕｒａｎｔｉｕｍ  Ｄｕｃｌｉｓ）（ネロリ）花油、ｓＨ−ポリペプチド−１５（ｓＨ−Ｐｏｌｙｐｅｐｔｉｄｅ−１５）、シモンデシア・チネンシス（ホホバ）（Ｓｉｍｍｏｎｄｓｉａ  Ｃｈｉｎｅｎｓｉｓ（Ｊｏｊｏｂａ））種子油、オプンティア・フィカス（Ｏｐｕｎｔｉａ  Ｆｉｃｕｓ）果実抽出物、ピサム・サチバム（Ｐｉｓｕｍ  Ｓａｔｉｖｕｍ）（エンドウ豆ペプチド）抽出物、アセチルオクタペプチド−３（Ａｃｅｔｙｌ  Ｏｃｔａｐｅｐｔｉｄｅ−３）、ジペプチド・ジアミノブチロイル・ベンジルアミド・ジアセテート（Ｄｉｐｅｐｔｉｄｅ  Ｄｉａｍｉｎｏｂｕｔｙｒｏｙｌ  Ｂｅｎｚｙｌａｍｉｄｅ  Ｄｉａｃｅｔａｔｅ）、パルミトイル・ジペプチド−５（Ｐａｌｍｉｔｏｙｌ  Ｄｉｐｅｐｔｉｄｅ−５）、パルミトイル・ジペプチド−６（Ｐａｌｍｉｔｏｙｌ  Ｄｉｐｅｐｔｉｄｅ−６）、チオクト（Ｒ−リコピン）酸、Ｌ−エルゴチオネイン、アセチル・テトラペプチド−２（Ａｃｅｔｙｌ  Ｔｅｔｒａｐｅｔｉｄｅ−２）、およびグリシン・ソーヤ（Ｇｌｙｃｅｒｉｎ  Ｓｏｊａ）（大豆）タンパクが挙げられる。
【００７２】
いくつかの実施形態では、環境、個人衛生、体美化、および食事／個人習慣状況によって生じる皮膚刺激を減らすために、抗炎症剤を本発明の組成物に含めてもよい。なお、２つ以上の、特に異なる生化学機構分類に属する、抗炎症剤の混合物が、単一成分の同重量のものより有益である可能性もある。これは、さまざまな異なる生化学機構によるものであり、それによって、上記抗炎症剤が有益な効果をもたらすことができる。多くの合成および天然薬剤が利用でき、そのような例をいくつか後述する（それらの作用の生化学機構は括弧内に示される）。それらの非限定的な例としては：根ショウガ、またはジンジバー・オフィシナーレＺｉｎｇｉｂｅｒ  Ｏｆｆｉｃｉｎａｌｅ根抽出物（ＣＯＸ−２阻害剤）；ガランガＧａｌａｎｇａまたはアルピナ・オフィシナルムＡｌｐｉｎｉａ  Ｏｆｆｉｃｉｎａｒｕｍ抽出物（ＬＯＸ−５阻害剤）；ウコンまたはクルクマ・ロンガＣｕｒｃｕｍａ  Ｌｏｎｇａ根抽出物（過酸化物抑制剤）；マンゴージンジャーまたはクルクマ・アマンダＣｕｒｃｕｍａ  ａｍａｄａ（未知の機構）；テトインｔｅｔｕｉｎ、カプシクムＣａｐｓｉｃｕｍ、またはカプシクム・アヌームＣａｐｓｉｃｕｍ  Ａｎｎｕｕｍ抽出物（Ｐ物質阻害剤、血管拡張、過酸化物抑制剤）；クローブ類またはシジジュウム・アロマチカムＳｙｚｙｇｉｕｍ  Ａｒｏｍａｔｉｃｕｍ抽出物（ＣＯＸ−１、ＣＯＸ−２阻害剤）；エボディアＥｖｏｄｉａまたはエヴォディア・ルタエカルパＥｖｏｄｉａ  Ｒｕｔａｅｃａｒｐａ果実抽出物（ＣＯＸ−２阻害剤）；ボスウェリアＢｏｓｗｅｌｌｉａまたはボスウェリア・セラータＢｏｓｗｅｌｌｉａ  Ｓｅｒｒａｔａ抽出物）（ＬＯＸ−５阻害剤）；ＳＡＭｅまたはＳ−アデノシルメチオニン（カテコールアミン代謝）；ユーコミスＥｕｃｏｍｉｓまたはユーコミスＬ’’ヘリトＥｕｃｏｍｉｓ  Ｌ’’Ｈｅｒｉｔ（ＣＯＸ−１阻害剤）；セラストラスＣｅｌａｓｔｒｕｓまたはセラストラス・オルビカルタスＣｅｌａｓｔｒｕｓ  ｏｒｂｉｃｕｌａｔｕｓ（ＣＯＸ−１阻害剤）；チトニアＴｉｔｈｏｎｉａまたはチトニア・ダイバーシフォリアＴｉｔｈｏｎｉａ  ｄｉｖｅｒｓｉｆｏｌｉａ（サイトカイニン阻害剤）；コチアＫｏｃｈｉａまたはコチア・スカパリアＫｏｃｈｉａ  Ｓｃｏｐａｒｉａ抽出物（ＣＯＸ−２阻害剤）；スコパリアＳｃｏｐａｒｉａまたはスコパリア・ダルシスＳｃｏｐａｒｉａ  ｄｕｌｃｉｓ抽出物（鎮痛剤）；クィアン・フオＱｉａｎｇ  Ｈｕｏまたはノトプテリジューム・インシサムＮｏｔｏｐｔｅｒｙｇｉｕｍ  ｉｎｃｉｓｕｍ（ＣＯＸ−１およびＬＯＸ−５阻害剤）；シナモンまたはシナモナム・カッシアＣｉｎｎａｍｏｎｕｍ  ｃａｓｓｉａ（一酸化窒素スカベンジャー）；メキシコ竹またはポリゴナム・カスピダータムＰｏｌｙｇｏｎｕｍ  ｃｕｓｐｉｄａｔｕｍ（一酸化窒素スカベンジャー）；オゴンＯｇｏｎ、バイカルスカルキャップＢａｉｋａｌ  Ｓｃｕｌｌｃａｐまたはスクテラリア・バイカルネンシスＳｃｕｔｅｌｌａｒｉａ  ｂａｉｃａｌｅｎｓｉｓ（ＣＯＸ−２阻害剤）；コプティスＣｏｐｔｉｓ、シャングリアンＸｉａｎｇｌｉａｎ、またはコプティス・チネンシスＣｏｐｔｉｓ  ｃｈｉｎｅｎｅｓｉｓ（一酸化窒素抑制剤）；ソ��レエアＰｓｏｒａｌｅａ、ルメックスＲｕｍｅｘ、バッカリスＢａｃｃｈａｒｉｓ、ナツシロギクＦｅｖｅｒｆｅｗ、ヴィテスＶｉｔｉｓ、ステファニアＳｔｅｐｈａｎｉａ（未知の機構）；ならびにコリダリスＣｏｒｙｄａｌｉｓまたはコリダリス・タートスチャニノヴィＣｏｒｙｄａｌｉｓ  Ｔｕｒｔｓｃｈａｎｉｎｏｖｉｉ根抽出物（鎮痛剤）が挙げられる。
【００７３】
本発明のいくつかの実施形態において、本発明の組成物は以下の１つ以上を含んでいてもよい。
【００７４】
ショウガは、何世紀もの間アーユルベーダおよびチベットの医学において使用されてきた。ショウガの抽出物は、末梢血流を増やし、温感および刺痛感を付与することが公知である。ショウガは、ギンゲロール、ショウガオール、ジンゲロンおよびカプサイシン等の刺激的な物質およびエッセンシャルオイルを含み、それらの刺激的な物質は、主にその和痛特性の原因である。最近の科学的研究では、ＣＯＸ−２酵素を阻害することは、不可逆的にＣＯＸ−１を抑制することに関連する副作用を伴わずに炎症を減らすための効果的な方法であることが示唆された。ショウガは、ＣＯＸ−２、更には５−リポキシゲナーゼ（ＬＯＸ−５）酵素を阻害する。
【００７５】
ターメリック（クルクマ・ロンガ）の根茎は、明るい黄色のクルクミンおよびその誘導体（クルクミロイド）を含む。それらの水素化誘導体である、テトラヒドロクルクミロイド（ｔｅｔｒａｈｙｄｒｏｃｕｒｃｕｍｉｎｏｉｄｓ）はほとんど無色の物質である。これらの成分の全ては、優れた抗炎症活性を有する。テトラヒドロクルクミロイドは、着色されていないがため、美顔用として局所に塗布される場合に利点を提供する。ターメリックの根茎を蒸気蒸留するとターメリック油が得られ、それは、優れた抗炎症活性を有することが報告されている。
【００７６】
ガランガ（アルピナ・オフィシナルム）、別名ガラガナール（Ｇａｌａｎｇａｌ）または中国ショウガは、中国、タイ、およびインドが原産である。それは、エッセンシャルオイル、ジンゲロール、および刺激的な物質のグループであるジアリールヘプタノイド（ｄｉａｒｙｌｈｅｐｔａｎｏｉｄｓ）を含む。研究によると、ジアリールヘプタノイド（および類似のフェニル・アルキル・ケトン類）は、５−リポキシゲナーゼの抑制経由でプロスタグランジン生合成の停止させることによる、優れた抗関節炎特性を備えていることが示されている。カプシクム、カプサイシン：古代マヤの民間医療の治療者は、歯痛および一般の体の痛みの治療のためにトウガラシ（カプシクム・フルテセンス（Ｃａｐｓｉｃｕｍ  ｆｒｕｔｅｓｃｅｎｃｅ））を使用した。現代の西洋医学では、カプサイシンは、神経痛、神経障害、骨関節炎、慢性関節リウマチ、膀胱痛、および胃痛に伴う痛みを治療するために用いられている。カプサイシンは、トウガラシ調製物に存在する活性のある鎮痛性成分である。それは、Ｐ物質（痛みの神経伝達物質）の合成、輸送、および放出を抑制可能な局所用の鎮痛薬である。カプサイシンは血管拡張薬でもある。
【００７７】
クローブ類：クローブ油およびクローブの芽は、古代から歯痛および筋肉痛の治療のために使用されてきた。この部類に属する多くの植物、特にシジジュウム・アロマチカム、シジジュウム・コリノカルパム（ｃｏｒｙｎｏｃａｒｐｕｍ）、およびシジジュウム・マラッセンス（ｍａｌｌａｃｅｎｓｅ）が痛みを和らげている成分を含むことは公知である。血管弛緩剤でありシジジュウム・アロマチカムの鎮痛成分である、オイゲノールも強い抗炎症活性を有する。シジジュウム・コリノカルパムおよびシジジュウム・マラッセンスの抽出物は、ＣＯＸ−１、ＣＯＸ−２酵素のブロッキング経由でプロスタグランジン生合成を阻害する。シジジュウム・クミニ（ｃｕｍｉｎｉ）の樹皮からの抽出物は、胃副作用が全く無い優れた抗炎症活性を有することが示された。クローブ油の成分であるアセチルオイゲノールはアラキドン酸代謝を変化させ、結果としてトロンボキサン形成を減少することが最近示された。
【００７８】
エボディア：このハーブは、古代から漢方薬（Ｗｕ  Ｚｈｕ  Ｙｕ）において赤痢のために使われてきた。エヴォディア・ルタエカルパから得られたルテカルピンは、直接ＣＯＸ−２酵素を阻害する、最近報告された新しいクラスの抗炎症性成分である。この植物の抽出物の抗侵害受容性や抗炎症活性が最近報告された。エヴォディアミン、およびエヴォディア・ルタエカルパに存在するその類似体も、血管拡張性および鎮痛性活性を有する。
【００７９】
乳香、ボスウェリア：グッガル（Ｇｕｇｇａｌ）（ボスウェリア・セラータ）は、何世紀もの間アーユルベーダ医学において、関節炎の治療のために使われてきた。乳香、ミルラ、および金は、賢者達が乳児のキリストに持ってきた３つの贈り物である。これらの３つ全てが痛風および関節炎の治療のために、古代医学において使われたことは興味深い。ボスウェリアは、炎症のための代替医療の中で現在最も人気のあるもののうちの１つである。最近の研究によって、ボスウェリア・セラータ抽出物の抗炎症性作用の要因の、（ボスウェリア酸として分類された）３つのキー成分が同定された。最近の研究によって、ボスウェリア酸およびそれらの誘導体は５−リポキシゲナーゼと直接相互作用することで、ロイコトリエン合成の特異的阻害剤であることがはっきりされている。
【００８０】
ＳＡＭｅ（Ｓ−アデノシルメチオニン）：１９５２年のその発見以来、ＳＡＭｅは骨関節炎の治療という点で広く興味を持たれてきた。全ての生命体に存在するこの物質は、ヒトの体の４０以上の生化学機能に必要である。ＳＡＭｅは、軟骨の形成を向上し、痛みを軽減する抗炎症性作用を提供することが証明された。
【００８１】
ユーコミス：南アフリカの伝統医学において、この植物の球根、葉、および根の抽出物は、痛み、炎症、および熱のために広範囲に利用されてきた。最近の研究によると、球根からの抽出物がＣＯＸ−１阻害活性を最も高いレベルで有することが示された。
【００８２】
セラストラス：この東洋の民間医療薬は、慢性関節リウマチのために使われてきた。最近の研究によると、このハーブに存在する、フラバン−３−オル（ｆｌａｖａｎ−３−ｏｌｓ）の１つであるエピアフゼレチン（ｅｐｉａｆｚｅｌｅｃｈｉｎ）が強いＣＯＸ−１活性を有していることが示された。チトニア：チトニアの抽出物は、中央アメリカにおいて血腫の治療のために使用されている。最近の研究によると、この抽出物の成分であるディバーシフォリン（ｄｉｖｅｒｓｉｆｏｌｉｎ）およびチロツンジン（ｔｉｒｏｔｕｎｄｉｎ）が抗炎症活性を有していることが示された。興味深いことに、前記抗炎症活性は、サイトカイン類およびケモカイン類等の炎症介在物質の合成を阻害することに起因していた。
【００８３】
スコパリア：ハーブであるスコパリア・ダルシスは、ブラジルの民間医療において、気管支炎、胃障害、痔核、虫刺され、および皮膚の怪我を治療すること、さらに、東洋医学において高血圧を治療することに使用されている。最近の研究では、スコパリア・ダルシスの抽出物が、鎮痛性、抗炎症性、および交感神経興奮活性を有することが示された。
【００８４】
クィアン・フオ：この中国の薬草の根抽出物は、伝統的に関節炎および関節痛のために使用され、最近、ＣＯＸ−１、ＬＯＸ−５阻害活性を有することが報告された。
【００８５】
シナモン：中東および他の国々で、シナモンは痛みおよび炎症のための血管拡張薬として長い間、伝統的に使用されてきた。最近の開示によって、シナモン抽出物が一酸化窒素およびパーオキシナイトライトの直接スカベンジ経由の抗侵害受容性、抗炎症活性を有していることが確認された。
【００８６】
ポリゴナム：このハーブは、メキシコ竹（メキシコ）およびフウ・チャン（Ｈｕ  Ｚｈａｎｇ）（中国）として、より一般的に知られている。ポリゴナムのさまざまな種は、活性化マクロファージによるＮＯの生産を調整する抗炎症性成分を含むことが最近同定された。最近の研究結果によると、ポリゴナム・チンクトリウム（ｔｉｎｃｔｏｒｉｕｍ）抽出物が、さまざまな病的状態におけるＮＯ合成の治療的モジュレータである可能性が示唆された。
【００８７】
オゴン、オウゴン（Ｏｕｇｏｎ）：日本の漢方生薬（オゴン）、中国（サンフゥアン（Ｓａｎｈｕａｎｇ））、ロシアのバイカル地方において使われてきた、スクテラリア（Ｓｃｕｔｅｌｌａｒｉａ）は、抗炎症活性、抗肝炎活性、抗菌活性、抗ウイルス活性、抗腫瘍活性、および抗酸化活性を有していることが示されている。前記抗炎症活性について、その活性成分がバイカリン（ｂａｉｃａｌｉｎ）、バイカレイン（ｂａｉｃａｌｅｉｎ）、およびオウゴニン（ｗｏｇｏｎｉｎ）であるとされている。最近の研究において、オウゴニンはＣＯＸ−２、ＮＯ−産生、およびプロスタグランジン産生の直接阻害剤であるという実験結果が出ており、局所的炎症性疾患の治療におけるオウゴニンの使用の可能性が示されている。バイカリンは、別の研究においてケモカイン阻害活性があることが示された。バイカレインは、ＬＯＸ−５阻害活性を有することが示された。
【００８８】
コプティス：日本でも使用される漢方薬（シャングリアン）であるコプティスは、ベルベリンを高濃度で含有することに起因する抗菌特性があることが周知である。それは、抗炎症性特性を有するいくつかのリグナン（イソラリシレジノール（ｉｓｏｌａｒｉｃｉｒｅｓｉｎｏｌ）、ラリシレジノールグリコシド（Ｌａｒｉｃｉｒｅｓｉｎｏｌ  ｇｌｙｃｏｓｉｄｅ）、ピノレジノール（ｐｉｎｏｒｅｓｉｎｏｌ）、ピノレジノールグリコシド（ｐｉｎｏｒｅｓｉｎｏｌ  ｇｌｙｃｏｓｉｄｅ）、およびシリンガレシノールグリコシド（ｓｙｒｉｎｇａｒｅｓｉｎｏｌ  ｇｌｙｃｏｓｉｄｅ））も含む。コプティス・ジャポニカ（Ｃｏｐｔｉｓ  ｊａｐｏｎｉｃａ）から単離されるウォオレノシド（Ｗｏｏｒｅｎｏｓｉｄｅｓ）は、そのＮＯ産生抑制経由で抗炎症活性を有していることが示された。
【００８９】
ソラレエア・グランドュロサ（ｇｌａｎｄｕｌｏｓａ）：古代ペルシャの医薬であるソラレエア・グランドュロサは、解熱性および抗炎症活性を有する、バクキオール（ｂａｋｕｃｈｉｏｌ）、シクロバクキオール類（ｃｙｃｌｏｂａｋｕｃｈｉｏｌｓ）、およびアンゲリシン（ａｎｇｅｌｉｃｉｎ）を含む。インド（バブチ（Ｂａｂｃｈｉ））のアーユルベーダ医薬および中国でブグジ（ＢｕＧｕＺｈｉ）であるソラレエア・コリリフォリア（ｃｏｒｙｌｉｆｏｌｉａ）は、ババキニン（ｂａｖａｃｈｉｎｉｎ）を含有することに由来する、抗炎症性、解熱性、鎮痛性活性を有する。最近同じ植物から単離されたバクキオールは、ＮＯ合成酵素遺伝子を抑制するため、その抗炎症活性が示唆された。
【００９０】
ルメックス・パシエンティア（ｐａｔｉｅｎｔｉａ）（ドック（Ｄｏｃｋ））は、抗炎症活性を示ししている。
【００９１】
バッカリス：バッカリスのいくつかの種は、主にプロスタグランジン生合成の阻害により、鎮痛性および抗炎症活性を示している。
【００９２】
ナツシロギク：この植物医薬（タナケタム・パルテニウム（Ｔａｎａｃｅｔｕｍ  ｐａｒｔｈｅｎｉｕｍ））は、その熱および片頭痛の緩和という利益のために周知である。近年では、そのＬＯＸ−５およびＣＯＸ阻害による、抗侵害受容性および抗炎症活性が報告された。ヴィテス：このブドウの仲間は、その強力な抗酸化成分、特にプロシアニジンおよびレスベラトロールのために周知である。最近、ヴィテス・アムレンシス（ａｍｕｒｅｎｓｉｓ）において発見されたレスベラトロールの四量体が、そのロイコトリエン生合成の抑制経由で強い抗炎症活性を有することがわかった。これは、いくつかの抗酸化物質も抗炎症活性を有していることが公知であるため、驚くべきことではない。この特性は、それらのＬＯＸおよびＣＯＸ酵素に対する阻害効果によるものであるかもしれない。
【００９３】
ステファニア：ステファニアは、関節腫脹のための鎮痛薬および抗炎症剤として朝鮮半島において長く使われてきた。ステファニア・ジャポニカ（ｊａｐｏｎｉｃａ）にて発見されたアルカロイドであるテトランドリンは、その抗炎症活性が周知である。ステファニア・セファランタ（ｃｅｐｈａｒａｎｔｈａ）にて発見されたアルカロイドであるセファランチンは、微小循環の向上を伴う血管拡張性を示した。
【００９４】
チノスポラ（Ｔｉｎｏｓｐｏｒａ）：インドのアーユルベーダおよびイスラムの医者はチノスポラ・コーディフォリア（Ｔｉｎｏｓｐｏｒａ  ｃａｒｄｉｆｏｌｉａ）を肝臓黄疸、さまざまな皮膚病、リウマチ、熱、および梅毒のために使用してきた。ヒトの関節炎について行われた臨床研究によって、その抗炎症性特性が示された。一酸化窒素合成の阻害がこの活性の要因であるように思われる。
【００９５】
抗炎症剤のさらなる非限定的例としては：セイヨウトチノキ抽出物（アエクルス・ヒポキャスタナム（Ａｅｓｃｕｌｕｓ  ｈｉｐｐｏｃａｓｔａｎｕｍ）抽出物）、エスクリン、エスシン、ヨヒンビン、トウガラシオレオレジン（Ｃａｐｓｉｃｕｍ  Ｏｌｅｏｒｅｓｉｎ）、カプサイシン、ナイアシン、ナイアシンエステル、ニコチン酸メチル、ニコチン酸ベンジル、ルスコゲニン類（Ｒｕｓｃｏｇｅｎｉｎｓ）（ナギイカダ（Ｂｕｔｃｈｅｒｓ  Ｂｒｏｏｍ）抽出物、ルスカス・アキュレアタス（Ｒｕｓｃｕｓ  ａｃｕｌｅａｔｕｓ）抽出物）、ジオスゲニン（トリゴネラ・フォナムグラエカム（Ｔｒｉｇｏｎｅｌｌａ  ｆｏｅｎｕｍｇｒａｅｃｕｍ）、コロハ）、エンブリカ抽出物（フィランサス・エンブリカ抽出物）、アジアチコシド（Ａｓｉａｔｉｃｏｓｉｄｅ）（センテレ・アジアティカ抽出物）、ボスウェリア抽出物（ボスウェリア・セラータ）、根生姜抽出物（ジンジバー・オフィシナリス（Ｚｉｎｇｉｂｅｒ  Ｏｆｆｉｃｉａｎａｌｉｓ））、ピペリン、ビタミンＫ、メリロツス（メリロツス・オフィシナリス（Ｍｅｌｉｌｏｔｕｓ  ｏｆｆｉｃｉｎａｌｉｓ）抽出物）、グリシレチン酸、ウルソル酸、セリコシド（Ｓｅｒｉｃｏｓｉｄｅ）（ターミナリア・セリケア（Ｔｅｒｍｉｎａｌｉａ  ｓｅｒｉｃｅａ）抽出物）、ダルトシド（Ｄａｒｕｔｏｓｉｄｅ）（シゲスベキア・オリエンタリス（Ｓｉｅｇｅｓｂｅｃｋｉａ  ｏｒｉｅｎｔａｌｉｓ）抽出物）、アムニ・ビスナガ（Ａｍｎｉ  ｖｉｓｎａｇａ）抽出物、赤ブドウ（ビティス・ビニフェラ（Ｖｉｔｉｓ−Ｖｉｎｉｆｅｒａ））葉抽出物、アピゲニン、フィトサン（ｐｈｙｔｏｓａｎ）、およびルテオリンが挙げられる。
【００９６】
いくつかの実施形態において、コラーゲンおよびフィブリンのブースト剤を本発明の組成物に含めてもよい。自然な老化プロセスにおいて、コラーゲンおよびフィブリンの生産が減速することは周知である。これは、皮膚薄膜化、皮膚弾力の喪失、およびシワの形成を引き起こす。コラーゲンまたはフィブリンのブースト剤を含めることは、皮膚再生という点で生物学的に重要である。コラーゲンまたはフィブリンのブースト組成物は、以下の群から選択することができるが、これに制限されない：グルコサミン、Ｎ−アセチルグルコサミン、コンドロイチン、藻類抽出物、キトサン、ナイアシンアミド、ナイアシンアミド誘導体、銅ヌクレオチド（ｃｏｐｐｅｒ  ｎｕｃｌｅｏｔｉｄｅｓ）、亜鉛ヌクレオチド（ｚｉｎｃ  ｎｕｃｌｅｏｔｉｄｅｓ）、マンガンヌクレオチド（ｍａｎｇａｎｅｓｅ  ｎｕｃｌｅｏｔｉｄｅｓ）、グルタチオン、カルノシン、ビタミンＣ、ビタミンＥ、ビタミンＡ、ビタミンＡプロピオナート、コエンザイムＱ１０、リポ酸、ジメチルアミノ・エタノール、アスコルビン酸、アスコルビン酸誘導体、グルコサミンアスコルベート、アルギニンアスコルベート、リシンアスコルベート、グルタチオンアスコルベート、ニコチンアミドアスコルベート、ナイアシンアスコルベート、アラントインアスコルベート、クレアチンアスコルベート、クレアチニンアスコルベート、コンドロイチンアスコルベート、キトサンアスコルベート、ＤＮＡアスコルベート、カルノシンアスコルベート、ビタミンＥ、さまざまなビタミンＥ誘導体、トコトリエノール、ルチン、ケルセチン、ヘスペレジン（Ｈｅｓｐｅｒｅｄｉｎ）（シトラス・シネンシス（Ｃｉｔｒｕｓ  ｓｉｎｅｎｓｉｓ））、ジオスミン（シトラス・シネンシス）、マンギフェリン（マグニフェラ・インディカ（Ｍａｎｇｉｆｅｒａ  ｉｎｄｉｃａ））、マンゴスチン（ガルシニア・マンゴスタナ）、シアニジン（バクシニウム・ミルティラス）、アスタキサンチン（ヘマトコッカス（Ｈａｅｍａｔｏｃｏｃｃｕｓ）藻類）、ルテイン（タゲテス・パチュラ（Ｔａｇｅｔｅｓ  ｐａｔｕｌａ））、リコピン（リコペルシカム・エスカレンタム（Ｌｙｃｏｐｅｒｓｉｃｕｍ  ｅｓｃｕｌｅｎｔｕｍ））、レスベラトロール（ポリゴナム・カスピダータム）、テトラヒドロ・クルクミン（クルクマ・ロンガ）、ロスマリン酸（ラスマリナス・オフィシナリス（Ｒｏｓｍａｒｉｎｕｓ  ｏｆｆｉｃｉｎａｌｉｓ））、ヒペリシン（ヒペリカム・パーフォータム（Ｈｙｐｅｒｉｃｕｍ  ｐｅｒｆｏｒａｔｕｍ））、エラグ酸（ピュニカ・グラナタム（Ｐｕｎｉｃａ  ｇｒａｎａｔｕｍ））、クロロゲン酸（バクシニウム・バルガリス（ｖｕｌｇａｒｉｓ））、オレウロペイン（オレア・ユーロパエ（Ｏｌｅａ  ｅｕｒｏｐａｅａ））、リポ酸、ナイアシンアミド・リポエート、グルタチオン、アンドログラホリド（アンドログラフィス・パニカラータ（Ａｎｄｒｏｇｒａｐｈｉｓ  ｐａｎｉｃｕｌａｔａ））、カルノシン、ナイアシンアミド、ポテンティラ・エレクタ（Ｐｏｔｅｎｔｉｌｌａ  ｅｒｅｃｔａ）抽出物、ポリフェノール類、ブドウ種子抽出物、ピクノジェノール（松樹皮抽出物）、銅ヌクレオチド、亜鉛ヌクレオチド、マンガンヌクレオチド、銅グルコシ���、亜鉛グルコシド、マンガングルコシド、およびそれらの組合せ。
【００９７】
髪および爪の生きている部分も老化プロセスという点では皮膚と非常に類似しているので、本発明の薬剤は髪および爪のアンチエイジング剤としても有用である。
【００９８】
本願明細書における全ての引用文献は、その全体が参照により援用できる。
【００９９】
本発明のいくつかの実施形態を例示するための実施例を以下に示す。それらは例示であり、本発明の範囲を制限することを目的としない。全ての量は、質量％で示す。
【実施例１】
【０１００】
レチナールγ−シクロデキストリンヘミアセタールの調製
水                                              １００％（となるように適量添加）
γ−シクロデキストリン                                            ３７．００％
レチナール                                                          １．９０％
アルガニア・スピノサ（アルガン（Ａｒｇａｎ））ナッツオイル          ３．２５％
ペンチレングリコール                                                ２．４７％
手順：本組成物を得るため、まず、レチナール、アルガニア・スピノサ（アルガン）ナッツオイル、およびペンチレングリコールを透明な混合物が得られるまで混合する。この混合物にγ−シクロデキストリンおよび水を加え、窒素またはアルゴン雰囲気下で１〜１２０時間混合する。得られた溶液をその後乾燥し、粉末化する。好ましい乾燥方法は、噴霧乾燥である。乾燥の結果得られる粉末は５％〜１５％の水を含む。
【実施例２】
【０１０１】
レチナールγ−シクロデキストリンヘミアセタールの調製
水                                              １００％（となるように適量添加）
γ−シクロデキストリン                                            ３７．００％
レチナール                                                          １．９０％
ペンチレングリコール                                                ５．７２％
手順：本組成物を得るため、まず、レチナールおよびペンチレングリコールを透明な混合物が得られるまで混合する。この混合物に、γ−シクロデキストリンおよび水を加え、窒素またはアルゴン雰囲気下で１〜１２０時間混合する。得られた溶液をその後乾燥し、粉末化する。好ましい乾燥方法は、噴霧乾燥である。乾燥の結果得られる粉末は５％〜１５％の水を含む。
【実施例３】
【０１０２】
レチナールγ−シクロデキストリンアセタールの調製
水                                              １００％（となるように適量添加）
γ−シクロデキストリン                                            ４０．００％
レチナール                                                          ２．２０％
ルブス・チャマエモルス（ｃｈａｍａｅｍｏｒｕｓ）（種子）油          ３．５０％
ペンチレングリコール                                                ２．１３％
ロニセラ・カプリフォリウム（Ｌｏｎｉｃｅｒａ  Ｃａｐｒｉｆｏｌｉｕｍ）（スイカズラ）花抽出物（および）ロニセラ・ジャポニカ（Ｌｏｎｉｃｅｒａ  Ｊａｐｏｎｉｃａ）（スイカズラ）花抽出物                                              ０．２５％
手順：本組成物を得るため、まず、レチナール、ルブス・チャマエモルス（種子）油、およびペンチレングリコールを透明な混合物が得られるまで混合する。この混合物に、γ−シクロデキストリン、水、ロニセラ・カプリフォリウム（スイカズラ）花抽出物（および）ロニセラ・ジャポニカ（スイカズラ）花抽出物を加え、窒素またはアルゴン雰囲気下で１〜１２０時間混合する。得られた溶液をその後乾燥し、粉末化する。好ましい乾燥方法は、噴霧乾燥である。乾燥の結果得られる粉末は５％〜１５％の水を含む。
【実施例４】
【０１０３】
レチナールγ−シクロデキストリンヘミアセタールの調製
水                                              １００％（となるように適量添加）
γ−シクロデキストリン                                            ４２．００％
レチナール                                                          ２．３０％
シモンデシア・チネンシス（ホホバ）種子油                            ３．７０％
ペンチレングリコール                                                ２．３３％
ロニセラ・カプリフォリウム（スイカズラ）花抽出物（および）ロニセラ・ジャポニカ（スイカズラ）花抽出物                                                ０．２５％
手順：本組成物を得るため、まず、レチナール、シモンデシア・チネンシス（ホホバ）種子油、およびペンチレングリコールを透明な混合物が得られるまで混合する。この混合物に、γ−シクロデキストリン、水、ロニセラ・カプリフォリウム（スイカズラ）花抽出物（および）、ロニセラ・ジャポニカ（スイカズラ）花抽出物を加え、窒素またはアルゴン雰囲気下で１〜１２０時間混合する。得られた溶液をその後乾燥し、粉末化する。好ましい乾燥方法は、「パルス燃焼方式噴霧乾燥」であり、これは、乾燥対象の産物の温度を最低に抑えるように設計された特別な噴霧乾燥技術である。
【実施例５】
【０１０４】
レチナールγ−シクロデキストリンの調製
水          １００％（となるように適量添加）
γ−シクロデキストリン                                                  ４０％
レチナール                                                            ２．２％
ルブス・チャマエモルス（クラウドベリー）種子油                        ３．５％
ペンチレングリコール                                              ２．１２７％
ロニセラ・カプリフォリウム（スイカズラ）花抽出物／ロニセラ・ジャポニカ（スイカズラ）花抽出物                                                        ０．２５％
手順：本組成物を得るため、まず、レチナール、ルブス・チャマエモルス（クラウドベリー）種子油、およびペンチレングリコールを透明な混合物が得られるまで混合する。
この混合物に、γ−シクロデキストリン、水、ロニセラ・カプリフォリウム（スイカズラ）花抽出物（および）、ロニセラ・ジャポニカ（スイカズラ）花抽出物を加え、窒素またはアルゴン雰囲気下で１〜１２０時間混合する。得られた溶液をその後乾燥し、粉末化する。好ましい乾燥方法は、「パルス燃焼方式噴霧乾燥」であり、これは、乾燥対象の産物の温度を最低に抑えるように設計された特別な噴霧乾燥技術である。
【実施例６】
【０１０５】
レチナールγ−シクロデキストリンの調製
水                                              １００％（となるように適量添加）
γ−シクロデキストリン                                                  ４０％
レチナール                                                        ３．９１３％
ビタミンＡプロピオナート                                          ３．９１３％
ロニセラ・カプリフォリウム（スイカズラ）花抽出物／ロニセラ・ジャポニカ（スイカズラ）花抽出物                                                        ０．２５％
手順：本組成物を得るため、まず、レチナールおよびビタミンＡプロピオナートを透明な混合物が得られるまで混合する。この混合物に、γ−シクロデキストリン、水、ロニセラ・カプリフォリウム（スイカズラ）花抽出物（および）、ロニセラ・ジャポニカ（スイカズラ）花抽出物を加え、窒素またはアルゴン雰囲気下で１〜１２０時間混合する。得られた溶液をその後乾燥し、粉末化する。好ましい乾燥方法は、「パルス燃焼方式噴霧乾燥」であり、これは、乾燥対象の産物の温度を最低に抑えるように設計された特別な噴霧乾燥技術である。
【０１０６】
本発明の美容、製薬における可能な使用法を示すいくつかの実施形態を述べた。これらの実施形態は、美容製剤の当業者ならば変更可能である。これらの変更は請求の範囲に記載の本発明の趣旨および範囲から逸脱しないと理解される。
【実施例７】
【０１０７】
体用乳液の調製
水                                              １００％（となるように適量添加）
モノステアリン酸グリセリン                                          ４．００％
ステアリン酸                                                        ２．２０％
セチルアルコール                                                    ３．５０％
イソプロピルパルミテート                                            ５．００％
メチルパラベン                                                      ０．２０％
上記実施例１で調製された粉末                                        ７．００％
手順：水、モノステアリン酸グリセリン、ステアリン酸、セチルアルコール、およびイソプロピルパルミテートを６５℃まで加熱する。得られた混合物を次にウルトラトゥーラックス（Ｕｌｔｒａ  Ｔｕｒａｘ）、フルエッダイザー（Ｆｌｕｉｄｉｚｅｒ）、または類似のホモジェナイザーを用いてホモジェナイズし、３０℃より低い温度まで冷却する。得られた混合物に、実施例１で調製された粉末をメチルパラベンと共に添加し混合する。
【実施例８】
【０１０８】
体用乳液の調製
水                                              １００％（となるように適量添加）
モノステアリン酸グリセリン                                          ４．００％
ステアリン酸                                                        ２．２０％
セチルアルコール                                                    ３．５０％
イソプロピルパルミテート                                            ５．００％
メチルパラベン                                                      ０．２０％
上記実施例２で調製された粉末                                        ５．００％
手順：水、モノステアリン酸グリセリン、ステアリン酸、セチルアルコール、およびイソプロピルパルミテートを６５℃まで加熱する。得られた混合物を次にウルトラトゥーラックス、フルエッダイザー、または類似のホモジェナイザーを用いてホモジェナイズし、３０℃より低い温度まで冷却する。得られた混合物に、上記実施例２で調製された粉末をメチルパラベンと共に添加し混合する。
【実施例９】
【０１０９】
体用乳液の調製
水                                              １００％（となるように適量添加）
モノステアリン酸グリセリン                                          ４．００％
ステアリン酸                                                        ２．２０％
セチルアルコール                                                    ３．５０％
イソプロピルパルミテート                                            ５．００％
メチルパラベン                                                      ０．２０％
上記実施例３で調製された粉末                                        ２．００％
手順：水、モノステアリン酸グリセリン、ステアリン酸、セチルアルコール、およびイソプロピルパルミテートを６５℃まで加熱する。得られた混合物を次にウルトラトゥーラックス、フルエッダイザー、または類似のホモジェナイザーを用いてホモジェナイズし、３０℃より低い温度まで冷却する。得られた混合物に、上記実施例３で調製された粉末をメチルパラベンと共に添加し混合する。
【実施例１０】
【０１１０】
日焼け防止組成物の調製
水                                              １００％（となるように適量添加）
乳化ロウＮＦ                                                        ６．００％
エンスリゾール（Ｅｎｓｕｌｉｚｏｌｅ）                              ４．００％
オクチノキサート                                                    ４．００％
プロピレングリコール                                                ３．００％
グルコノラクトン／安息香酸ナトリウム                                １．００％
トリエタノールアミン                                                ０．３５％
アンモニウムアクリロイルジメチルタウレート（Ａｍｍｏｎｉｕｍ  Ａｃｒｙｌｏｙｌｄｉｍｅｔｈｙｌｔａｕｒａｔｅ）／ＶＰ共重合体                        １．４０％
二酸化チタン                                                        ０．７５％
実施例１で調製された粉末                                            ７．００％
手順：水、乳化ロウＮＦ、エンスリゾール、オクチノキサート、およびプロピレングリコールを８０℃まで加熱し混合する。次に、得られた混合物を３０℃より低い温度まで冷却する。さらに以下の物質を続けて混合する：グルコノラクトン／安息香酸ナトリウム、トリエタノールアミン、および二酸化チタン。得られた混合物に、上記実施例１で調製された粉末を添加する。
【実施例１１】
【０１１１】
日焼け止め指数（ＳＰＦ）製品の調製
水                                              １００％（となるように適量添加）
乳化ロウＮＦ                                                        ６．００％
エンスリゾール                                                      ４．００％
オクチノキサート                                                    ４．００％
プロピレングリコール                                                ３．００％
グルコノラクトン／安息香酸ナトリウム                                １．００％
トリエタノールアミン                                                ０．３５％
アンモニウムアクリロイルジメチルタウレート／ＶＰ共重合体            １．４０％
二酸化チタン                                                        ０．７５％
実施例２で調製された粉末                                            ４．００％
手順：水、乳化ロウＮＦ、エンスリゾール、オクチノキサート、およびプロピレングリコールを８０℃まで加熱し混合する。次に、得られた混合物を３０℃より低い温度まで冷却する。さらに以下の物質を続けて混合する：グルコノラクトン／安息香酸ナトリウム、トリエタノールアミン、および二酸化チタン。得られた混合物に、上記実施例２で調製された粉末を添加する。
【実施例１２】
【０１１２】
日焼け止め指数（ＳＰＦ）製品の調製
水                                              １００％（となるように適量添加）
乳化ロウＮＦ                                                        ６．００％
エンスリゾール                                                      ４．００％
オクチノキサート                                                    ４．００％
プロピレングリコール                                                ３．００％
グルコノラクトン／安息香酸ナトリウム                                １．００％
トリエタノールアミン                                                ０．３５％
アンモニウムアクリロイルジメチルタウレート／ＶＰ共重合体            １．４０％
二酸化チタン                                                        ０．７５％
実施例３で調製された粉末                                            ２．００％
手順：水、乳化ロウＮＦ、エンスリゾール、オクチノキサート、およびプロピレングリコールを８０℃まで加熱し混合する。次に、得られた混合物を３０℃より低い温度まで冷却する。さらに以下の物質を続けて混合する：グルコノラクトン／安息香酸ナトリウム、トリエタノールアミン、および二酸化チタン。得られた混合物に、上記実施例３で調製された粉末を添加する。
【実施例１３】
【０１１３】
シワ予防クリーム
水                                              １００％（となるように適量添加）
ヒドロキシプロピルデンプンリン酸                                    ２．００％
キャンデリア／ホホバ／米ぬかポリグリセリル−３エステル類（および）ステアリン酸グリセリル（および）セテアリルアルコール（および）ステアロイル乳酸ナトリウム                                                                          ７．００％
ペンタステアリン酸ポリグリセリル−１０（および）ベヘニルアルコール（および）ステアロイル乳酸ナトリウム                                              ２．００％
グリセリン                                                          ５．５０％
セチルアルコール                                                    ０．８０％
ステアリルアルコール                                                ０．８０％
ベヘニルアルコール                                                  ０．８０％
ネオペンタン酸イソステアリル                                        ４．５０％
ロニセラ・カプリフォリウム（スイカズラ）花抽出物（および）ロニセラ・ジャポニカ（スイカズラ）花抽出物                                                １．００％
実施例１で調製された粉末                                            ７．００％
手順：ヒドロキシプロピルデンプンリン酸を水と混合し、８０℃まで加熱する。
以下の物質を添加と添加の間に添加し、適度に混合する：キャンデリア／ホホバ／米ぬかポリグリセリル−３エステル類（および）ステアリン酸グリセリル（および）セテアリルアルコール（および）ステアロイル乳酸ナトリウム、ペンタステアリン酸ポリグリセリル−１０（および）ベヘニルアルコール（および）ステアロイル乳酸ナトリウム、グリセリン、セチルアルコール、ステアリルアルコール、およびベヘニルアルコール。混合物が均質に混ざったら冷却する。ネオペンタン酸イソステアリル、ロニセラ・カプリフォリウム、（スイカズラ）花抽出物（および）ロニセラ・ジャポニカ（スイカズラ）花抽出物、および実施例１で調製された粉末を添加し、連続的に混合する。
【実施例１４】
【０１１４】
シワ予防クリーム
水                                              １００％（となるように適量添加）
ヒドロキシプロピルデンプンリン酸                                    ２．００％
キャンデリア／ホホバ／米ぬかポリグリセリル−３エステル類（および）ステアリン酸グリセリル（および）セテアリルアルコール（および）ステアロイル乳酸ナトリウム                                                                          ７．００％
ペンタステアリン酸ポリグリセリル−１０（および）ベヘニルアルコール（および）ステアロイル乳酸ナトリウム                                              ２．００％
グリセリン                                                          ５．５０％
セチルアルコール                                                    ０．８０％
ステアリルアルコール                                                ０．８０％
ベヘニルアルコール                                                  ０．８０％
ネオペンタン酸イソステアリル                                        ４．５０％
ロニセラ・カプリフォリウム（スイカズラ）花抽出物（および）ロニセラ・ジャポニカ（スイカズラ）花抽出物                                                １．００％
実施例２で調製された粉末                                            ４．００％
手順：ヒドロキシプロピルデンプンリン酸を水と混合し、８０℃まで加熱する。以下の物質を添加と添加の間に添加し、適度に混合する：キャンデリア／ホホバ／米ぬかポリグリセリル−３エステル類（および）ステアリン酸グリセリル（および）セテアリルアルコール（および）ステアロイル乳酸ナトリウム、ペンタステアリン酸ポリグリセリル−１０（および）ベヘニルアルコール（および）ステアロイル乳酸ナトリウム、グリセリン、セチルアルコール、ステアリルアルコール、およびベヘニルアルコール。混合物が均質に混ざったら冷却する。ネオペンタン酸イソステアリル、ロニセラ・カプリフォリウム（スイカズラ）花抽出物（および）ロニセラ・ジャポニカ（スイカズラ）花抽出物、および実施例２で調製された粉末を添加し、連続的に混合する。
【実施例１５】
【０１１５】
シワ予防クリーム
水                                              １００％（となるように適量添加）
ヒドロキシプロピルデンプンリン酸                                    ２．００％
キャンデリア／ホホバ／米ぬかポリグリセリル−３エステル類（および）ステアリン酸グリセリル（および）セテアリルアルコール（および）ステアロイル乳酸ナトリウム                                                                          ７．００％
ペンタステアリン酸ポリグリセリル−１０（および）ベヘニルアルコール（および）ステアロイル乳酸ナトリウム                                              ２．００％
グリセリン                                                          ５．５０％
セチルアルコール                                                    ０．８０％
ステアリルアルコール  Ｇ                                            ０．８０％
ベヘニルアルコール                                                  ０．８０％
ネオペンタン酸イソステアリル                                        ４．５０％
ロニセラ・カプリフォリウム（スイカズラ）花抽出物（および）ロニセラ・ジャポニカ（スイカズラ）花抽出物                                                １．００％
実施例３で調製された粉末                                            ３．００％
手順：ヒドロキシプロピルデンプンリン酸を水と混合し、８０℃まで加熱する。以下の物質を添加と添加の間に添加し、適度に混合する：キャンデリア／ホホバ／米ぬかポリグリセリル−３エステル類（および）ステアリン酸グリセリル（および）セテアリルアルコール（および）ステアロイル乳酸ナトリウム、ペンタステアリン酸ポリグリセリル−１０（および）ベヘニルアルコール（および）ステアロイル乳酸ナトリウム、グリセリン、セチルアルコール、ステアリルアルコール、およびベヘニルアルコール。混合物が均質に混ざったら冷却する。ネオペンタン酸イソステアリル、ロニセラ・カプリフォリウム（スイカズラ）花抽出物（および）ロニセラ・ジャポニカ（スイカズラ）花抽出物、および実施例３で調製された粉末を添加し、連続的に混合する。
【実施例１６】
【０１１６】
シワ予防美容液の調製
水                                              １００％（となるように適量添加）
カーボポール（Ｃａｒｂｏｐｏｌ）                                    ０．２５％
式（Ｉａ）または（Ｉｂ）の化合物を含有する粉末                            ５％
ロニセラ・カプリフォリウム（スイカズラ）花抽出物／ロニセラ・ジャポニカ（スイカズラ）花抽出物                                                        ０．２５％
手順：上記成分を記述された順番に添加する。カルボポールが水和されるように一晩おく。次の日に再び混合する
【０１１７】
化学的アイデンティティの証明
【０１１８】
実施例１において得られたレチナールγ−シクロデキストリンヘミアセタールを以下の３つの溶媒によって抽出した：クロロホルム、イソプロパノール、およびメタノール。分析用サンプルの調製は、サンプルを重さの分かっているバイアルへ正確に２８ｍｇの測りとり、次に、前記サンプルを分析用の１．０ｍｌのＨＰＬＣ等級の２−プロパノールに希釈することで行った。前記サンプルを＜１μｍ（１μｍ以下）のテフロン注射器フィルタを通して濾過した後、分析のための充分な線形性を得るために２−プロパノールで１００倍希釈した。濾液をレチナールについて分析した。回収率は以下の通りであるとわかった。
抽出溶媒                                      レチナール（％）（算出値４．５％）
クロロホルム                                                          ０．０４
イソプロパノール                                                      １．５
メタノール                                                            ４．１
レチナール（コントロール、抽出ステップ無しで直接分析）                ９８．０（算出値１００．０）
【０１１９】
これらの結果によって、レチナールが包接複合体として存在していないことが明らかに確認された。レチナールはγ−シクロデキストリンと化学的に反応し、レチナールγ−シクロデキストリンヘミアセタールを形成し、それは以下のようにメタノールと化学的に反応してレチナールを形成する：
【０１２０】
【化２０】
2014528008.tif 000021
【０１２１】
イソプロパノールは、レチナールγ−シクロデキストリンヘミアセタールとあまり反応しないようである。
【０１２２】
皮膚外観への応用
【０１２３】
本発明の化合物は、皮膚の局所的な酸性ｐＨおよび水分にさらされたとき、レチナールおよび他のアルデヒドを放出可能である。これらの化合物の上述の特性は、レチナールを含むそのようなアルデヒドによって治療可能な局所疾病を治療するのに有益である。
【０１２４】
レチナールは、以下に述べる局所治療の利益を提供することが報告された。
【０１２５】
コルデロ（Ｃｏｒｄｅｒｏ）ら（Ｊ  Ｃｏｓｍｅｔ  Ｄｅｒｍａｔｏｌ．  ２０１１  Ｊｕｎ；１０（２）：１１０−７）は、レチナールデヒドが光損傷した皮膚の治療に有効であると証明されていたので、皮膚老化を管理するレチナールデヒド／ヒアルロン酸を報告した。
【０１２６】
マーキヴィラッズ（Ｍｅｒｋｖｉｌａｄｚｅ）ら（Ｇｅｏｒｇｉａｎ  Ｍｅｄ  Ｎｅｗｓ．  ２０１０  Ｓｅｐ；（１８６）：４６−５０）は、レチナールを用いた非炎症性ニキビの治療を開示する。
【０１２７】
チエリッツ（Ｔｈｉｅｌｉｔｚ）ら（Ｊ  Ｄｔｓｃｈ  Ｄｅｒｍａｔｏｌ  Ｇｅｓ．  ２０１０  Ｍａｒ；８  Ｓｕｐｐｌ  １：Ｓ１５−２３）は、レチノイドが面皰および微小面皰に作用し、直接的な抗炎症性効果を有するので、レチノイドを局所塗布することは、ニキビの管理のための重要なツールであると報告している。ニキビ治療のために承認される物質としては、トレチノイン（全トランス・レチノイン酸）と、イソトレチノイン（１３−シス・レチノイン酸）と、ニキビ治療のために米国でだけ承認されており合成された第三世代のポリ芳香族のレチノイドであるアダパレンおよびタザロテンとが挙げられる。レチナールデヒドは、ニキビに対する美顔用製剤に使用されている。全ての局所塗布レチノイドは、単一の薬剤として、軽度から中度のニキビに有効であるが、その効能および許容度は異なる。０．１％タザロテンは、トレチノインの０．０２５％もしくは０．１％の微小球ゲル、またはアダプレネの０．１％ゲルもしくはクリームより効果的である。０．１％アダプレネは、０．０２５％トレチノインまたはトレチノイン微小球０．１％ゲルまたは０．０５％トレチノインクリームまたはイソトレチノインの０．０５％ゲルと同程度に効果的である。アダプレネの０．１％ゲルは、タザロテンの０．１％ゲル、０．０２５％トレチノインおよびトレチノインの０．０５％ゲル、トレチノインの０．０５％クリーム、トレチノイン微小球の０．１％ゲル、またはイソトレチノインの０．０５％ゲルよりもはるかによく許容される。局所塗布レチノイドの安全プロフィールは、それが全身へ適用される場合と異なり、主に局所的な紅斑、乾燥、痒み、および刺痛といった副作用に関するものである。現在入手可能な証拠によって、局所塗布レチノイドを、大部分の種類のニキビに対して、その維持的治療の間に使用することが正当化される。
【０１２８】
マッカジー（Ｍｕｋｈｅｒｊｅｅ）ら（Ｃｌｉｎ  Ｉｎｔｅｒｖ  Ａｇｉｎｇ．２００６；１（４）：３２７−４８）は、皮膚老化の治療における、レチノイドの臨床有効性および安全性の概要を報告している。レチノイドが皮膚老化の治療の見込みを示したが、レチノイドによる治療に伴う、やけど、皮むけ、または皮膚炎等の刺激性反応が、レチノイドの患者による受け入れを制限する。この課題はトレチノインおよびタザロテンにおいてより顕著であり、レチナールデヒドおよびレチノールによって主に代表される他のレチノイドの方が随分低刺激である。これらの副作用を最小化するために、さまざまな新規の薬物送達システムが開発されてきた。特に、ナノ粒子は、トレチノインおよびレチノールのようなレチノイドの安定性、許容度、および効力を高める十分な可能性を示した。
【０１２９】
ステファンキ（Ｓｔｅｆａｎａｋｉ）ら（Ｊ  Ｃｏｓｍｅｔ  Ｄｅｒｍａｔｏｌ．  ２００５  Ｊｕｎ；４（２）：１３０−４）は、光老化の治療のためにレチノイドを局所塗布する例を報告している。多数の異なる物質がレチノイドのファミリーに分類され、それらは伝統的にビタミンＡ誘導体と記述されてきた。それらは、核および細胞質での受容体を介して作用することで、光老化を改善することができる。トレチノインは、光老化の治療に関しても最も研究がなされたレチノイドである。そこまでよく研究されていないが、イソトレチノイン、レチナールデヒド、およびタザロテン等の他の物質についても有望な結果が得られている。
【０１３０】
ソルグ（Ｓｏｒｇ）ら（Ｄｅｒｍａｔｏｌ  Ｔｈｅｒ．  ２００６  Ｓｅｐ−Ｏｃｔ；１９（５）：２８９−９６）は美容医薬の分野におけるレチノイドの利益を報告している。レチノイドは、天然または合成ビタミンＡ誘導体である。それらは、脂肪親和性分子であって、容易に表皮を透過する。それらの生物学的活性を有する形態は、細胞分化および増殖に関係する遺伝子の発現を調節することができる。レチノイン酸（トレチノイン）、その１３−シス・イソマーイソトレチノイン、およびさまざまな合成レチノイドが治療目的に使用されている。一方、レチナールデヒド、レチノール、およびレチニルエステル類はそれらの制御されたレチノイン酸への転換または直接的な受容体非依存的生物学的作用のため、美容医薬において使用可能である。このため、これらの天然レチノイン酸前駆体は（ｉ）表皮細胞の再生、（ｉｉ）紫外線フィルタとして作用すること、（ｉｉｉ）酸化性ストレスを予防すること、（ｉｖ）皮膚細菌叢の制御、および（ｖ）皮膚老化および光老化を改善することに関して有用であると期待される。レチノールおよびレチニルエステル類は刺激物でないが、わずかな臨床的効率のみを示す。他方、許容度がかなり高いレチナールデヒドは、最も効率的な美容医薬のレチノイドであるようであり、酸化性ストレス、皮膚細菌叢、表皮再生、および光老化に関して著しく効率的である。
【０１３１】
オルトン（Ｏｒｔｏｎｎｅ）（Ｄｅｒｍａｔｏｌ  Ｔｈｅｒ．  ２００６  Ｓｅｐ−Ｏｃｔ；１９（５））は、色素障害におけるレチノイド療法を報告している。全トランス・レチノイン酸（ＲＡ）、１３−シス・レチノイン酸（イソトレチノイン）、レチノール、レチナールデヒド、タザロテン、およびアダプレネ等のレチノイドの局所塗布は、斑点や光線性ほくろを含む光損傷を受けた皮膚の色素沈着異常を改善することが示された。ＲＡ単独療法も黒皮症および炎症後のメラニン増加症を改善すると示された。さらに、ヒドロキノン、４−ヒドロキシアニソール、またはアゼライン酸とＲＡとの組合せは、黒皮症、光線性ほくろ、および炎症後のメラニン増加症の治療のための脱色素剤の効力を増す。これらの効果の基礎をなしている基本的機構は、完全には分かっていない。局所塗布されたレチノイドは、表皮ケラチン生成細胞の細胞再生を活性化し、表皮形成経由でメラノソーム転送の減少およびメラニンの急速損失を促進する。局所塗布されたレチノイドも細胞分化の制御に関与する。レチノイド誘導性の角質層および透過性障壁の変化も、脱色素剤の表皮への浸透を容易にし、その生物学的利用能を増加する。その結果、さらに脱色素が進む。さらに、いくつかのインビトロの研究によると、シスおよびトランス・レチノイン酸が、チロシナーゼ活性およびメラニン合成を介して、ＵＶ−Ｂ促進されたメラニン形成を阻害することが示された。局所塗布されたレチノイドが、メラニン形成細胞および表皮ケラチン生成細胞に対する直接作用を経て表皮性メラニン数を調整することがありえそうである。
【０１３２】
ストラチゴス（Ｓｔｒａｔｉｇｏｓ）ら（Ｄｒｕｇｓ．２００５；６５（８）：１０６１−７２）は、光老化の治療における局所塗布レチノイドの役割を報告している。皮膚の老化は、いくつかの固有外部要因の相互作用によって影響される、複雑な生物学的プロセスである。固有または時間経過による老化は必然的な、遺伝的にプログラムされたプロセスであるが、その機構は不明であり、それを防止または効率的に治療することは現在可能ではない。光老化とは、紫外線への累積的な曝露によって誘発されて、時間経過による老化のバックグラウンドに重畳される、全体的な微小的皮膚変化のことを指す。光老化は、著しい心理的影響を有する主に美に関する問題ではあるが、前がん性およびがん性の皮膚の傷が発達するバックグラウンドを形成する。確かな臨床、組織学的証拠によれば、レチノイドを局所塗布することで、過剰な日光曝露によって誘発される特定の構造変化をある程度は逆行させ得ることが示された。トレチノイン、イソトレチノイン、レチナールデヒド、およびタザロテン等の多くのレチノイド化合物が光老した皮膚治療のために使用されており、有益な臨床、組織学的効果を示している。
【０１３３】
ソルグら（Ｐｈｏｔｏｃｈｅｍ  Ｐｈｏｔｏｂｉｏｌ．２００５Ｊｕｌ−Ａｕｇ；８１（４）８３０−６）は、局所塗布されたレチノイドが、無毛マウスを急性ＵＶＢ曝露した後のＤＮＡ損傷およびアポトーシスを予防すると報告している。
【０１３４】
カサリー（Ｋａｓｒａｅｅ）ら（Ｄｅｒｍａｔｏｌｏｇｙ．２００５；２１０Ｓｕｐｐｌ  １：３０−４）は、ＲＡＬＧＡの脱色素効果と、より刺激の少ないレチノイド・レチナールデヒドおよびグリコール酸の組合せとを報告している。レチノイン酸（ＲＡ）を局所に使用すると、ヒトの皮膚が穏やかに脱色素することが長い間公知だった。しかしながら、ＲＡは、局所脱色素化合物として利用される上で２つの大きな欠点を有する。第一に、ＲＡは、刺激物として作用し、皮膚の相当な紅斑および剥脱を生じ得る。第二に、ＲＡは、他の公知の脱色素剤と比較すると比較的弱い脱色素能を有する。より刺激の少ないレチノイド・レチナールデヒド（ＲＡＬ：０．１％）とグリコール酸（６．４％）との組合せであるＲＡＬＧＡは、Ｃ５７ＢＬ／６マウスの尾部皮膚において、皮膚脱色素に関して０．０５％ＲＡより高い潜在的能力を有する。この効果は、機能するメラニン形成細胞の数が減少する点、および／またはそれらのメラニン合成能を阻害する点で観察された。さらに、視覚的に認識できるＲＡＬＧＡの脱色素効果が、僅か塗布１週間後とＲＡより早期に明らかになった。従って、ＲＡＬＧＡは、皮膚色素増加障害の治療のための脱色素製品として働き得る。ニキビ治癒後の色素過剰の傷は、ニキビ患者にとって色素に関する非常に一般的な問題である。ＲＡＬＧＡは、そのような患者のニキビ治癒後の色素過剰の傷を同時に除去可能であり得る、ＲＡ前駆体であるＲＡＬを含むため、抗ニキビ製品として機能できる。
【０１３５】
ドレノ（Ｄｒｅｎｏ）ら（Ｄｅｒｍａｔｏｌｏｇｙ．２００５；２１０  Ｓｕｐｐｌ  １：２２−９）は、１，７０９人の患者の抗ニキビ治療に関連した耐性および許容性の研究において、グリコール酸と共にレチナールデヒドを局所塗布した結果を報告した。その結果は、０．１％ＲＡＬと６％グリコール酸との組合せを、優れた耐性を有する他の局所塗布の抗ニキビ治療薬（ベンゾイル過酸化物および局所塗布の抗生物質）にとともに使用できることを示す。
【０１３６】
ペチレ（Ｐｅｃｈｅｒｅ）ら（Ｄｅｒｍａｔｏｌｏｇｙ．  ２００２；２０５（２）：１５３−８）は、局所塗布のレチノイドおよびレチナールデヒドの抗菌活性を報告している。試験された３つのレチノイドの中で、ＲＡＬだけが有意なインビトロ抗菌活性を示した。この活性は、Ｓ．アウレウス（ａｅｕｒｅｕｓ）、ミクロコッカス（Ｍｉｃｒｏｃｏｃｃｕｓ）菌種、またはＰ．アクネス（ａｃｎｅｓ）のようなグラム陽性バクテリアの参照種において発見された。
【０１３７】
ヴィエン（Ｖｉｅｎｎｅ）ら（Ｄｅｒｍａｔｏｌｏｇｙ．  ９９９；１９９  Ｓｕｐｐｌ  １：５３−６）は、レチナールデヒドが、顔の酒さの血管成分に有益な効果を報告している。
【０１３８】
クレイジ（Ｃｒｅｉｄｉ）ら（Ｄｅｒｍａｔｏｌｏｇｙ．１９９９；１９９  Ｓｕｐｐｌ  １：４９−５２）は、シリコン皮膚レプリカの画像分析を使用した対照臨床試験から、レチナールデヒドが光老化の兆候の改善に効率的でよく許容されると報告している。
【０１３９】
ボイスニック（Ｂｏｉｓｎｉｃ）ら（Ｄｅｒｍａｔｏｌｏｇｙ．  ９９９；１９９  Ｓｕｐｐｌ  １：４３−８）は、エキソビボのヒトの皮膚モデルにおいて、０．０５％のレチナールデヒドクリームを用いることでＵＶＡによって誘発された弾性線維およびコラーゲンの損傷が修復されることを報告している。レチナールデヒドが、トレチノインが有する光老化に対する生物学的かつ有益な効果という特性を多数有することが示された。これらの著者らは、ＵＶＡ曝露によって誘導される弾性線維およびコラーゲンの変質が顕著に修復されたという結果を得たことによって、特に真皮結合組織に関する先に得られたこれらの観察結果のいくつかを立証した。
【０１４０】
ペチレら（Ｄｅｒｍａｔｏｌｏｇｙ．  １９９９；１９９  Ｓｕｐｐｌ  １：２９−３１）は、インイボ、インビトロ両方におけるレチナールデヒドのプロピオニバクテリウム・アクネス（Ｐｒｏｐｉｏｎｉｂａｃｔｅｒｉｕｍ  ａｃｎｅｓ）に対する効果を報告している。Ｐ．アクネスに対するレチナールデヒドのＭＩＣは、直接的な抗菌活性を示唆する。０．０５％のレチナールデヒドを毎日局所塗布することで、Ｐ．アクネスの密度が明らかに低下した。
【０１４１】
上記の引用文献にて説明されているように、レチナールに関連する以下の局所的な利点がある：皮膚老化の管理、皮膚老化の治療、光損傷した皮膚の治療、非炎症性ニキビの治療、抗炎症性効果、光老化の治療、表皮細胞の再生、紫外線フィルタとしての作用、酸化性ストレスの防止、皮膚細菌叢のコントロール、皮膚老化および光老化の改善、皮膚色素沈着障害の治療、ＤＮＡ損傷の予防、皮膚の脱色素効果、抗ニキビ治療、抗菌活性、顔の酒さ、ならびにＵＶＡによって誘発された弾性線維およびコラーゲンの損傷の修復。局所的な光損傷が、黒ずんだ皮膚色、シワ、および皮膚の細い線の原因となることは公知であるので、全てのレチナール治療は同様にこれらの皮膚外観の課題に対処する。本発明の化合物は、局所塗布された際に局所的な酸性ｐＨおよび水分との化学反応によってレチナールを送達することができるので、上述の引用文献のレチナールによる治療の利益の全てもまた本発明の化合物に適用できる。
【０１４２】
安定性
【０１４３】
本発明の式（Ｉａ）および式（Ｉｂ）の化合物は、予想外かつ驚くべき安定性を有している。式（Ｉａ）のヘミアセタール化合物は特に有益な安定性を有することがわかった。これは、予想外であり驚くべきことである。それは、本発明の範囲外である、他の類似したレチナールデヒド（ｒｅｔｉｎａｌｄｅｈｙｅ）化合物が不安定であることが従来技術において周知だったためである。式（ＸＸＩＩ）の例にあるように、この特性は、これらの分子の前記ヘミアセタールの−ＯＨ基とシクロデキストリン部分の主要な水酸基との水素結合によるものであると推論されている。
【０１４４】
【化２１】
2014528008.tif 000022
式中、ｎ＝３である。
【０１４５】
しかし、式（ＸＸＩＩ）のこの安定性の実際の理由は、未解明である。ただ、それは本発明の化合物のスキンケア治療の利益に影響を与えるものではない。
【図１】
2014528008.tif 000027
【図２】
2014528008.tif 000028
【図３】
2014528008.tif 000029
【国際調査報告】
2014528008.tif 000030